(57)【要約】【課題】既存のテレビジョン受像機等によって、ユーザが、容易に異常を認識することができるようにする。【解決手段】親機１と各子機２ijとしての各テレビジョン受像機には、テレビジョン放送番組としての画像データが表示されている（図３６Ａ）。各テレビジョン受像機は、図示せぬカメラからの画像データを無線で受信しており、その画像データの特徴量を、フレームごとに検出し、画像データの特徴量の時間的変動を解析している。そして、特徴量の時間的変動が所定の条件を満たす場合、緊急度の高い異常であれば、特徴量の時間的変動が所定の条件を満たすカメラからの画像データが、すべてのテレビジョン受像機の表示画面に亘って全画面表示され（図３６Ｂ）、緊急度が高くない異常であれば、カメラからの画像データを受信しているテレビジョン受像機のみ、カメラからの画像データに表示が切り換えられる。本発明は、監視カメラシステムに適用できる。【選択図】図３６
2008211836.tif 000002
【特許請求の範囲】
【請求項１】
第１の入力系統から入力された画像及び第２の入力系統から入力された情報のうちの画像の第１の表示装置への表示を制御する表示制御手段と、
前記第２の入力系統から入力された情報の特徴量を、所定時間ごとに検出する検出手段と、
前記特徴量の時間的変動を解析する解析手段と、
異常状態の判定に用いられる所定の条件を記憶する条件記憶手段と、
前記解析手段により解析された前記特徴量の時間的変動と前記条件記憶手段に記憶された前記所定の条件とを比較して、前記異常状態であるか否かを判定する判定手段と
を備え、
第２の表示装置を備える他の表示制御装置と電気的に接続され、
前記第１の表示装置と前記第２の表示装置は、同時に観察可能な位置に配置され、
前記表示制御手段は、前記異常状態の判定結果に基づいて、前記第１の表示装置および前記第２の表示装置への、前記第２の入力系統から入力された画像の表示を制御する
表示制御装置。
【請求項２】
前記表示制御手段は、前記異常状態であると判定された場合、前記特徴量の時間的変動を解析して得られる前記異常状態の緊急度が第１の緊急度であるとき、前記第２の入力系統から入力された画像を前記第１の表示装置のみに表示するように制御し、前記異常状態の緊急度が前記第１の緊急度よりも高い第２の緊急度であるとき、前記第２の入力系統から入力された画像を前記第１の表示装置及び前記第２の表示装置に表示するように制御する
請求項１に記載の表示制御装置。
【請求項３】
前記表示制御手段は、前記異常状態の緊急度が前記第１の緊急度よりも高い第２の緊急度であるとき、前記第１の表示装置と前記第２の表示装置の位置関係に応じて、前記第１の表示装置と前記第２の表示装置の全体に亘って、前記第２の入力系統から入力された画像を表示させる
請求項２に記載の表示制御装置。
【請求項４】
第１の入力系統から入力された画像及び第２の入力系統から入力された情報のうちの画像の第１の表示装置への表示を制御する表示制御ステップと、
前記第２の入力系統から入力された情報の特徴量を、所定時間ごとに検出する検出ステップと、
前記特徴量の時間的変動を解析する解析ステップと、
異常状態の判定に用いられる所定の条件を記憶する条件記憶ステップと、
前記解析ステップの処理により解析された前記特徴量の時間的変動と前記条件記憶ステップの処理により記憶された前記所定の条件とを比較して、前記異常状態であるか否かを判定する判定ステップと
を含み、
前記表示制御ステップの処理において、前記異常状態の判定結果に基づいて、前記第１の表示装置、および、電気的に接続される他の表示制御装置が備える表示装置であって、前記第１の表示装置と同時に観察可能な位置に配置される表示装置である第２の表示装置への、前記第２の入力系統から入力された画像の表示を制御する
表示制御装置の表示制御方法。
【請求項５】
第１の入力系統から入力された画像及び第２の入力系統から入力された情報のうちの画像の第１の表示装置への表示を制御する表示制御ステップと、
前記第２の入力系統から入力された情報の特徴量を、所定時間ごとに検出する検出ステップと、
前記特徴量の時間的変動を解析する解析ステップと、
異常状態の判定に用いられる所定の条件を記憶する条件記憶ステップと、
前記解析ステップの処理により解析された前記特徴量の時間的変動と前記条件記憶ステップの処理により記憶された前記所定の条件とを比較して、前記異常状態であるか否かを判定する判定ステップと
を含み、
前記表示制御ステップの処理において、前記異常状態の判定結果に基づいて、前記第１の表示装置、および、電気的に接続される他の表示制御装置が備える表示装置であって、前記第１の表示装置と同時に観察可能な位置に配置される表示装置である第２の表示装置への、前記第２の入力系統から入力された画像の表示を制御する
処理を表示制御装置のコンピュータに実行させるプログラムが記録されている記録媒体。
【請求項６】
第１の入力系統から入力された画像及び第２の入力系統から入力された情報のうちの画像の第１の表示装置への表示を制御する表示制御ステップと、
前記第２の入力系統から入力された情報の特徴量を、所定時間ごとに検出する検出ステップと、
前記特徴量の時間的変動を解析する解析ステップと、
異常状態の判定に用いられる所定の条件を記憶する条件記憶ステップと、
前記解析ステップの処理により解析された前記特徴量の時間的変動と前記条件記憶ステップの処理により記憶された前記所定の条件とを比較して、前記異常状態であるか否かを判定する判定ステップと
を含み、
前記表示制御ステップの処理において、前記異常状態の判定結果に基づいて、前記第１の表示装置、および、電気的に接続される他の表示制御装置が備える表示装置であって、前記第１の表示装置と同時に観察可能な位置に配置される表示装置である第２の表示装置への、前記第２の入力系統から入力された画像の表示を制御する
処理を表示制御装置のコンピュータに実行させるプログラム。
【請求項７】
表示システムを構成する複数の表示制御装置のうちの少なくとも１つが、
画像を表示する第１の表示装置と、
第１の入力系統から入力された画像及び第２の入力系統から入力された情報のうちの画像の前記第１の表示装置への表示を制御する表示制御手段と、
前記第２の入力系統から入力された情報の特徴量を、所定時間ごとに検出する検出手段と、
前記特徴量の時間的変動を解析する解析手段と、
異常状態の判定に用いられる所定の条件を記憶する条件記憶手段と、
前記解析手段により解析された前記特徴量の時間的変動と前記条件記憶手段に記憶された前記所定の条件とを比較して、前記異常状態であるか否かを判定する判定手段と
を備え、
第２の表示装置を備える他の表示制御装置と電気的に接続され、
前記第１の表示装置と前記第２の表示装置は、同時に観察可能な位置に配置され、
前記表示制御手段は、前記異常状態の判定結果に基づいて、前記第１の表示装置および前記第２の表示装置への、前記第２の入力系統から入力された画像の表示を制御する
表示システム。
【請求項８】
画像を表示する第１の表示手段と、
第１の入力系統から入力された画像及び第２の入力系統から入力された情報のうちの画像の前記第１の表示手段への表示を制御する表示制御手段と、
前記第２の入力系統から入力された情報の特徴量を、所定時間ごとに検出する検出手段と、
前記特徴量の時間的変動を解析する解析手段と、
異常状態の判定に用いられる所定の条件を記憶する条件記憶手段と、
前記解析手段により解析された前記特徴量の時間的変動と前記条件記憶手段に記憶された前記所定の条件とを比較して、前記異常状態であるか否かを判定する判定手段と
を備え、
第２の表示手段を備える他の表示装置と電気的に接続され、
前記第１の表示手段と前記第２の表示手段は、同時に観察可能な位置に配置され、
前記表示制御手段は、前記異常状態の判定結果に基づいて、前記第１の表示手段および前記第２の表示手段への、前記第２の入力系統から入力された画像の表示を制御する
表示装置。
【発明の詳細な説明】
【技術分野】
【０００１】
本発明は、表示制御装置および方法、表示装置、並びに表示システムに関し、特に、例えば、既存のテレビジョン受像機の有効利用を図ることができるようにする表示制御装置および方法、表示装置、並びに表示システムに関する。
【背景技術】
【０００２】
例えば、従来のテレビジョン受像機においては、テレビジョン放送信号が受信され、テレビジョン放送番組としての画像が表示されるとともに、その画像に付随する音声が出力される。
【発明の開示】
【発明が解決しようとする課題】
【０００３】
ところで、例えば、乳幼児や高齢者がいる家庭において、常時、乳幼児や高齢者を監視するのは困難であり、一般には、家庭の人間その他の介護者が、乳幼児や高齢者の様子を定期的または不定期に見に行くこととなる。
【０００４】
しかしながら、この場合、介護者の負担は、相当なものであり、このため、介護者の負担を軽減する何らかの手段が要請されている。
【０００５】
そこで、例えば、部屋にいる乳幼児や高齢者の様子を撮影し、その画像を、他の部屋のモニタに映す監視カメラシステムがある。
【０００６】
しかしながら、従来の監視カメラシステムでは、カメラからの映像を、常時、または定期的もしくは不定期に確認しなければならず、介護者の負担は、多少は軽減されるものの、依然として大きい。
【０００７】
また、家庭には、テレビジョン受像機がある場合が多いが、そのテレビジョン受像機の他に、監視カメラシステムのモニタを設置しなければならないのでは、その分の住居スペースが侵されることになる。
【０００８】
そこで、監視カメラシステムのカメラからの画像を、家庭にあるテレビジョン受像機に映す方法がある。
【０００９】
しかしながら、監視カメラシステムのカメラからの画像を、テレビジョン受像機に映すのでは、介護者は、そのテレビジョン受像機で、テレビジョン放送番組を視聴することができなくなる。
【００１０】
そこで、テレビジョン受像機において、テレビジョン放送番組と、監視カメラシステムのカメラからの映像とを、介護者が切り換える方法があるが、テレビジョン放送番組と、監視カメラシステムのカメラからの映像との切り換え操作を行うのは、面倒であり、さらに、介護者が、その切り換えを忘れ、最悪の場合には、緊急事態に気がつかないケースが生じうる。
【００１１】
本発明は、このような状況に鑑みてなされたものであり、既存のテレビジョン受像機等によって、ユーザが、容易に緊急事態を認識することができるようにすることにより、既存のテレビジョン受像機の有効利用を図ることができるようにするものである。
【課題を解決するための手段】
【００１２】
本発明の表示制御装置は、第１の入力系統から入力された画像及び第２の入力系統から入力された情報のうちの画像の第１の表示装置への表示を制御する表示制御手段と、第２の入力系統から入力された情報の特徴量を、所定時間ごとに検出する検出手段と、特徴量の時間的変動を解析する解析手段と、異常状態の判定に用いられる所定の条件を記憶する条件記憶手段と、解析手段により解析された特徴量の時間的変動と条件記憶手段に記憶された所定の条件とを比較して、異常状態であるか否かを判定する判定手段とを備え、第２の表示装置を備える他の表示制御装置と電気的に接続され、第１の表示装置と第２の表示装置は、同時に観察可能な位置に配置され、表示制御手段は、異常状態の判定結果に基づいて、第１の表示装置および第２の表示装置への、第２の入力系統から入力された画像の表示を制御する。
【００１３】
表示制御手段は、異常状態であると判定された場合、特徴量の時間的変動を解析して得られる異常状態の緊急度が第１の緊急度であるとき、第２の入力系統から入力された画像を第１の表示装置のみに表示するように制御し、異常状態の緊急度が第１の緊急度よりも高い第２の緊急度であるとき、第２の入力系統から入力された画像を第１の表示装置及び第２の表示装置に表示するように制御する。
【００１４】
表示制御手段は、異常状態の緊急度が第１の緊急度よりも高い第２の緊急度であるとき、第１の表示装置と第２の表示装置の位置関係に応じて、第１の表示装置と第２の表示装置の全体に亘って、第２の入力系統から入力された画像を表示させる。
【００１５】
本発明の表示制御方法、記録媒体に記録されているプログラム、および、プログラムは、第１の入力系統から入力された画像及び第２の入力系統から入力された情報のうちの画像の第１の表示装置への表示を制御する表示制御ステップと、第２の入力系統から入力された情報の特徴量を、所定時間ごとに検出する検出ステップと、特徴量の時間的変動を解析する解析ステップと、異常状態の判定に用いられる所定の条件を記憶する条件記憶ステップと、解析ステップの処理により解析された特徴量の時間的変動と条件記憶ステップの処理により記憶された所定の条件とを比較して、異常状態であるか否かを判定する判定ステップとを含み、表示制御ステップの処理において、異常状態の判定結果に基づいて、第１の表示装置、および、電気的に接続される他の表示制御装置が備える表示装置であって、第１の表示装置と同時に観察可能な位置に配置される表示装置である第２の表示装置への、第２の入力系統から入力された画像の表示を制御する。
【００１６】
本発明の表示制御装置および方法、記録媒体に記録されているプログラム、並びに、プログラムにおいては、第１の入力系統から入力された画像及び第２の入力系統から入力された情報のうちの画像の第１の表示装置への表示が制御され、第２の入力系統から入力された情報の特徴量が、所定時間ごとに検出され、特徴量の時間的変動が解析され、異常状態の判定に用いられる所定の条件が記憶され、解析された特徴量の時間的変動と記憶された所定の条件とが比較され、異常状態であるか否かが判定され、異常状態の判定結果に基づいて、第１の表示装置、および、電気的に接続される他の表示制御装置が備える表示装置であって、第１の表示装置と同時に観察可能な位置に配置される表示装置である第２の表示装置への、第２の入力系統から入力された画像の表示が制御される。
【００１７】
本発明の表示システムにおいては、表示システムを構成する複数の表示制御装置のうち少なくとも１つが、画像を表示する第１の表示装置と、第１の入力系統から入力された画像及び第２の入力系統から入力された情報のうちの画像の第１の表示手段への表示を制御する表示制御手段と、第２の入力系統から入力された情報の特徴量を、所定時間ごとに検出する検出手段と、特徴量の時間的変動を解析する解析手段と、異常状態の判定に用いられる所定の条件を記憶する条件記憶手段と、解析手段により解析された特徴量の時間的変動と条件記憶手段に記憶された所定の条件とを比較して、異常状態であるか否かを判定する判定手段とを備え、第２の表示装置を備える他の表示制御装置と電気的に接続され、第１の表示装置と第２の表示装置は、同時に観察可能な位置に配置され、表示制御手段は、異常状態の判定結果に基づいて、第１の表示装置および第２の表示装置への、第２の入力系統から入力された画像の表示を制御する。
【００１８】
本発明の表示システムにおいては、表示システムを構成する複数の表示制御装置のうち少なくとも１つにおいて、第１の入力系統から入力された画像及び第２の入力系統から入力された情報のうちの画像の第１の表示装置への表示が制御され、第２の入力系統から入力された情報の特徴量が、所定時間ごとに検出され、特徴量の時間的変動が解析され、異常状態の判定に用いられる所定の条件が記憶され、解析された特徴量の時間的変動と記憶された所定の条件とが比較され、異常状態であるか否かが判定され、異常状態の判定結果に基づいて、第１の表示装置、および、電気的に接続される他の表示制御装置が備える表示装置であって、第１の表示装置と同時に観察可能な位置に配置される表示装置である第２の表示装置への、第２の入力系統から入力された画像の表示が制御される。
【００１９】
本発明の表示装置は、画像を表示する第１の表示手段と、第１の入力系統から入力された画像及び第２の入力系統から入力された情報のうちの画像の第１の表示手段への表示を制御する表示制御手段と、第２の入力系統から入力された情報の特徴量を、所定時間ごとに検出する検出手段と、特徴量の時間的変動を解析する解析手段と、異常状態の判定に用いられる所定の条件を記憶する条件記憶手段と、解析手段により解析された特徴量の時間的変動と条件記憶手段に記憶された所定の条件とを比較して、異常状態であるか否かを判定する判定手段とを備え、第２の表示手段を備える他の表示装置と電気的に接続され、第１の表示手段と第２の表示手段は、同時に観察可能な位置に配置され、表示制御手段は、異常状態の判定結果に基づいて、第１の表示手段および第２の表示手段への、第２の入力系統から入力された画像の表示を制御する。
【００２０】
本発明の表示装置においては、第１の入力系統から入力された画像及び第２の入力系統から入力された情報のうちの画像の第１の表示手段への表示が制御され、第２の入力系統から入力された情報の特徴量が、所定時間ごとに検出され、特徴量の時間的変動が解析され、異常状態の判定に用いられる所定の条件が記憶され、解析された特徴量の時間的変動と記憶された所定の条件とが比較され、異常状態であるか否かが判定され、異常状態の判定結果に基づいて、第１の表示手段、および、電気的に接続される他の表示装置が備える表示手段であって、第１の表示手段と同時に観察可能な位置に配置される表示手段である第２の表示手段への、第２の入力系統から入力された画像の表示が制御される。
【発明の効果】
【００２１】
本発明によれば、既存のテレビジョン受像機等によって、ユーザが、容易に異常（緊急事態）を認識することができ、その結果、既存のテレビジョン受像機の有効利用を図ることが可能となる。
【発明を実施するための最良の形態】
【００２２】
図１は、本発明を適用したスケーラブルＴＶ(Television)システム（システムとは、複数の装置が論理的に集合した物をいい、各構成の装置が同一筐体中にあるか否かは問わない）の一実施の形態の構成例を示す斜視図である。
【００２３】
図１Ａの実施の形態では、スケーラブルＴＶシステムは、９台のテレビジョン受像機１、並びに２11，２12，２13，２21，２23，２31，２32，２33で構成されている。また、図１Ｂの実施の形態では、スケーラブルＴＶシステムは、２５台のテレビジョン受像機１、並びに２11，２12，２13，２14，２15，２21，２22，２23，２24，２25，２31，２32，２34，２35，２41，２42，２43，２44，２45，２51，２52，２53，２54，２55で構成されている。
【００２４】
ここで、スケーラブルＴＶシステムを構成するテレビジョン受像機の数は、９台や２５台に限定されるものではない。即ち、スケーラブルＴＶシステムは、任意の複数台のテレビジョン受像機によって構成することが可能である。また、スケーラブルＴＶシステムを構成するテレビジョン受像機の配置は、図１に示したように、横×縦が、３×３や５×５に限定されるものではない。即ち、スケーラブルＴＶシステムを構成するテレビジョン受像機の配置は、その他、例えば、横×縦が、１×２や、２×１、２×３などとすることも可能である。また、スケーラブルＴＶシステムを構成するテレビジョン受像機の配置形状は、図１に示したように、格子状（マトリクス状）に限定されるものではなく、例えば、ピラミッド状であっても良い。
【００２５】
このようにスケーラブルＴＶシステムは、任意の複数台のテレビジョン受像機を、横と縦それぞれに、任意の台数だけ配置して構成することができることから、「スケーラブル」なシステムであるということができる。
【００２６】
スケーラブルＴＶシステムを構成するテレビジョン受像機には、他のテレビジョン受像機を制御することができる親のテレビジョン受像機（以下、適宜、親機という）と、他のテレビジョン受像機から制御することができるが、他のテレビジョン受像機を制御することができない子のテレビジョン受像機（以下、適宜、子機という）の２種類が存在する。
【００２７】
また、スケーラブルＴＶシステムでは、後述するように、そのスケーラブルＴＶシステムを構成するすべてのテレビジョン受像機の全表示画面に亘って画像を表示する全画面表示を行うことができるようになっている。
【００２８】
但し、スケーラブルＴＶシステムが、全画面表示を行うには、スケーラブルＴＶシステムを構成するテレビジョン受像機が、スケーラブルＴＶシステムに対応したもの（以下、適宜、スケーラブル対応機という）であり、かつ、そのうちの少なくとも１つが親機であることが条件となっている。このため、図１Ａおよび図１Ｂの実施の形態では、スケーラブルＴＶシステムを構成するテレビジョン受像機のうち、例えば、中心に配置されるテレビジョン受像機が親機１とされている。
【００２９】
以上から、スケーラブルＴＶシステムを構成するテレビジョン受像機の中に、スケーラブル対応機でないテレビジョン受像機が存在する場合には、全画面表示を行うことができない。さらに、スケーラブルＴＶシステムを構成するテレビジョン受像機がスケーラブル対応機であっても、そのすべてが子機である場合には、やはり、全画面表示を行うことができない。
【００３０】
従って、ユーザは、スケーラブルＴＶシステムの全画面表示の機能を享受するためには、少なくとも、１台以上の親機、または１台の親機と１台以上の子機を購入する必要がある。
【００３１】
なお、親機は、子機の機能も有しており、従って、スケーラブルＴＶシステムを構成するテレビジョン受像機の中に、複数台の親機が存在していてもかまわない。
【００３２】
図１Ａの実施の形態では、３×３台のテレビジョン受像機のうち、中心（左から２番目で、上から２番目）に配置されているテレビジョン受像機１が親機となっており、他の８台のテレビジョン受像機２11，２12，２13，２21，２23，２31，２32，２33が子機になっている。また、図１Ｂの実施の形態では、５×５台のテレビジョン受像機のうち、中心（左から３番目で、上から３番目）に配置されているテレビジョン受像機１が親機となっており、他の２４台の２11，２12，２13，２14，２15，２21，２22，２23，２24，２25，２31，２32，２34，２35，２41，２42，２43，２44，２45，２51，２52，２53，２54，２55が子機になっている。
【００３３】
従って、図１の実施の形態では、親機１は、スケーラブルＴＶシステムを構成するテレビジョン受像機の中心に配置されているが、親機１の位置は、スケーラブルＴＶシステムを構成するテレビジョン受像機の中心に限定されるものではなく、親機１は、左上や右下その他の任意の位置に配置することが可能である。
【００３４】
ここで、以下においては、説明を簡単にするため、スケーラブルＴＶシステムは、図１Ａに示したように、３×３台のテレビジョン受像機で構成されるものとし、さらに、親機１は、スケーラブルＴＶシステムを構成するテレビジョン受像機の中心に配置されるものとする。
【００３５】
なお、スケーラブルＴＶシステムを構成する子機２ijのサフィックスｉｊは、その子機２ijが、スケーラブルＴＶシステムにおいて、第ｉ列第ｊ行（上からｉ行目の、左からｊ列目）に配置されているものであることを表す。
【００３６】
また、以下、適宜、子機２ijを特に区別する必要がない限り、子機２と記述する。
【００３７】
次に、図２は、親機１であるテレビジョン受像機の構成例を示す斜視図である。
【００３８】
親機１は、その表示画面のサイズが、例えば、１４インチ(inch)または１５インチなどのテレビジョン受像機であり、その正面中央部分に、画像を表示するＣＲＴ(Cathode Ray Tube)１１が設けられており、また、その正面の左端と右端に、音声を出力するスピーカユニット１２Ｌと１２Ｒがそれぞれ設けられている。
【００３９】
そして、図示せぬアンテナで受信されたテレビジョン放送信号における画像が、ＣＲＴ１１で表示され、また、その画像に付随する音声のＬ(Left)チャンネルとＲ(Right)チャンネルが、スピーカユニット１２Ｌと１２Ｒから、それぞれ出力される。
【００４０】
親機１には、赤外線ＩＲ(Infrared Ray)を出射するリモートコマンダ（以下、適宜、リモコンという）１５が付随しており、ユーザは、このリモコン１５を操作することにより、受信チャンネルや音量の変更、その他各種のコマンドを、親機１に与えることができるようになっている。
【００４１】
なお、リモコン１５は、赤外線通信を行うものに限定されるものではなく、例えば、BlueTooth（商標）その他の無線通信を行うものを採用することが可能である。
【００４２】
また、リモコン１５は、親機１のみならず、子機２を制御することも可能である。
【００４３】
次に、図３は、図２の親機１の構成例を示す６面図である。
【００４４】
図３Ａは親機１の正面を、図３Ｂは親機１の上面を、図３Ｃは親機１の底面を、図３Ｄは親機１の左側面を、図３Ｅは親機１の右側面を、図３Ｆは親機１の背面を、それぞれ示している。
【００４５】
親機１の上面（図３Ｂ）、底面（図３Ｃ）、左側面（図３Ｄ）、および右側面（図３Ｅ）には、固定機構が設けられている。後述するように、子機２であるテレビジョン受像機の上面、底面、左側面、および右側面にも、同様の固定機構が設けられており、親機１の上面側、底面側、左側面側、または右側面側に、子機２や他の親機が配置されると、親機１の上面、底面、左側面、または右側面に設けられた固定機構と、子機２や他の親機の対向する面に設けられた固定機構とが、例えば嵌合し、親機１と、子機２や他の親機とが、容易に離れないように固定される。これにより、スケーラブルＴＶシステムを構成するテレビジョン受像機の位置ずれなどを防止するようになっている。
【００４６】
なお、固定機構は、機械的な機構で構成することもできるし、その他、例えば、磁石などによって構成することも可能である。
【００４７】
親機１の背面には、図３Ｆに示すように、端子パネル２１、アンテナ端子２２、入力端子２３、および出力端子２４が設けられている。
【００４８】
端子パネル２１には、親機１と、図１ＡのスケーラブルＴＶシステムを構成する８台の子機２11，２12，２13，２21，２23，２31，２32，２33それぞれとを電気的に接続するための８つのIEEE(Institute of Electrical and Electronics Engineers)1394端子２１11，２１12，２１13，２１21，２１23，２１31，２１32，２１33が設けられている。
【００４９】
ここで、図３Ｆの実施の形態では、親機１が、図１ＡのスケーラブルＴＶシステムでの子機２ijの位置を把握するため、端子パネル２１においては、ユーザが、スケーラブルＴＶシステムを、その背面側から見た場合に、図１ＡのスケーラブルＴＶシステムでの子機２ijの位置に対応する位置に、その子機２ijと接続されるIEEE1394端子２１ijが設けられている。
【００５０】
従って、図１ＡのスケーラブルＴＶシステムにおいては、子機２11はIEEE1394端子２１11を、子機２12はIEEE1394端子２１12を、子機２13はIEEE1394端子２１13を、子機２21はIEEE1394端子２１21を、子機２23はIEEE1394端子２１23を、子機２31はIEEE1394端子２１31を、子機２32はIEEE1394端子２１32を，子機２33はIEEE1394端子２１33を、それぞれ経由して、親機１と接続するように、ユーザに接続を行ってもらう。
【００５１】
なお、図１ＡのスケーラブルＴＶシステムにおいて、子機ijを、端子パネル２１のどのIEEE1394端子と接続するかは、特に限定されるものではない。但し、子機ijを、IEEE1394端子２１ij以外のIEEE1394端子と接続する場合には、その子機ijが、図１ＡのスケーラブルＴＶシステムの第ｉ列第ｊ行に配置されているものであることを、親機１に設定する必要がある（ユーザに設定してもらう必要がある）。
【００５２】
また、図３Ｆの実施の形態では、端子パネル２１に、８つのIEEE1394端子２１11乃至２１33を設け、親機１と、８台の子機２11乃至２33それぞれとを、パラレルに接続するようにしたが、親機１と、８台の子機２11乃至２33とは、シリアルに接続することも可能である。即ち、子機２ijは、他の子機２i'j'を経由して、親機１と接続することが可能である。但し、この場合も、子機ijが、図１ＡのスケーラブルＴＶシステムの第ｉ列第ｊ行に配置されているものであることを、親機１に設定する必要がある。従って、端子パネル２１に設けるIEEE1394端子の数は、８つに限定されるものではない。
【００５３】
さらに、スケーラブルＴＶシステムを構成するテレビジョン受像機どうしの電気的な接続は、IEEE1394に限定されるものではなく、その他、例えば、LAN（IEEE802)などを採用することが可能である。また、スケーラブルＴＶシステムを構成するテレビジョン受像機どうしの電気的な接続は、有線ではなく、無線で行うことも可能である。
【００５４】
アンテナ端子２２には、図示せぬアンテナに接続されているケーブルが接続され、これにより、アンテナで受信されたテレビジョン放送信号が、親機１に入力される。入力端子２３には、例えば、VTR(Video Tape Recorder)等から出力される画像データおよび音声データが入力される。出力端子２４からは、例えば、親機１で受信されているテレビジョン放送信号としての画像データおよび音声データが出力される。
【００５５】
次に、図４は、子機２であるテレビジョン受像機の構成例を示す斜視図である。
【００５６】
子機２は、図２の親機１と同一の表示画面サイズのテレビジョン受像機であり、その正面中央部分に、画像を表示するＣＲＴ(Cathode Ray Tube)３１が設けられており、また、その正面の左端と右端に、音声を出力するスピーカユニット３２Ｌと３２Ｒがそれぞれ設けられている。なお、親機１と子機２とでは、異なる表示画面サイズを採用することも可能である。
【００５７】
そして、図示せぬアンテナで受信されたテレビジョン放送信号における画像が、ＣＲＴ３１で表示され、また、その画像に付随する音声のＬ(Left)チャンネルとＲ(Right)チャンネルが、スピーカユニット３２Ｌと３２Ｒから、それぞれ出力される。
【００５８】
子機２にも、親機１と同様に、赤外線ＩＲを出射するリモコン３５が付随しており、ユーザは、このリモコン３５を操作することにより、受信チャンネルや音量の変更、その他各種のコマンドを、子機２に与えることができるようになっている。
【００５９】
なお、リモコン３５は、子機２のみならず、親機１の制御も行うことができるようになっている。
【００６０】
また、図１ＡのスケーラブルＴＶシステムを構成するには、ユーザは、１台の親機１と、８台の子機２11乃至２33を購入する必要があるが、この場合に、親機１にリモコン１５が付随し、８台の子機２11乃至２33それぞれにリモコン３５が付随するのでは、ユーザは、９台のリモコンを所有することとなり、その管理が煩雑になる。
【００６１】
そこで、子機２のリモコン３５は、子機２のオプションとして、別売りにすることが可能である。また、親機１のリモコン１５も、親機１のオプションとして、別売りにすることが可能である。
【００６２】
ここで、上述したように、リモコン１５と３５は、親機１および子機２のいずれも制御することが可能であり、従って、リモコン１５または３５のうちのいずれか一方しか所有していなくても、親機１および子機２のすべてを制御することが可能である。
【００６３】
次に、図５は、図４の子機２の構成例を示す６面図である。
【００６４】
図５Ａは子機２の正面を、図５Ｂは子機２の上面を、図５Ｃは子機２の底面を、図５Ｄは子機２の左側面を、図５Ｅは子機２の右側面を、図５Ｆは子機２の背面を、それぞれ示している。
【００６５】
子機２の上面（図５Ｂ）、底面（図５Ｃ）、左側面（図５Ｄ）、および右側面（図５Ｅ）には、固定機構が設けられており、子機２の上面側、底面側、左側面側、または右側面側に、親機１や他の子機が配置されると、子機２の上面、底面、左側面、または右側面に設けられた固定機構と、親機１や他の子機の対向する面に設けられた固定機構とが嵌合し、子機２と、他の子機や親機１とが、容易に離れないように固定される。
【００６６】
子機２の背面には、図５Ｆに示すように、端子パネル４１、アンテナ端子４２、入力端子４３、および出力端子４４が設けられている。
【００６７】
端子パネル４１には、親機１と子機２とを電気的に接続するための１つのIEEE1394端子４１1が設けられている。子機２が、図１ＡのスケーラブルＴＶシステムにおける、例えば左上に配置される子機２11である場合には、端子パネル４１のIEEE1394端子４１1は、図示せぬIEEE1394ケーブルを介して、図３Ｆにおける端子パネル２１のIEEE1394端子２１11と接続される。
【００６８】
なお、端子パネル４１に設けるIEEE1394端子の数は、１つに限定されるものではない。
【００６９】
アンテナ端子４２には、図示せぬアンテナに接続されているケーブルが接続され、これにより、アンテナで受信されたテレビジョン放送信号が、子機２に入力される。入力端子４３には、例えば、VTR等から出力される画像データおよび音声データが入力される。出力端子４４からは、例えば、子機２で受信されているテレビジョン放送信号としての画像データおよび音声データが出力される。
【００７０】
以上のように構成される１台の親機１と８台の子機２11乃至２33の合計９台のテレビジョン受像機が、横方向と縦方向に、それぞれ３台ずつ配置されることにより、図１ＡのスケーラブルＴＶシステムが構成される。
【００７１】
なお、図１ＡのスケーラブルＴＶシステムは、親機または子機としてのテレビジョン受像機の上、下、左、または右に、他のテレビジョン受像機を直接配置して構成する他、例えば、図６に示すスケーラブルＴＶシステム専用のラックに、テレビジョン受像機を配置して構成することも可能である。このように専用のラックを使用する場合には、スケーラブルＴＶシステムを構成するテレビジョン受像機の位置ずれなどを、より強固に防止することができる。
【００７２】
ここで、親機または子機としてのテレビジョン受像機の上、下、左、または右に、他のテレビジョン受像機を直接配置することによりスケーラブルＴＶシステムを構成する場合には、例えば、親機１は、少なくとも、子機２32が存在しないと、図１Ａに示したように、第２行第２列に配置することができない。これに対して、図６のスケーラブルＴＶシステム専用のラックを用いる場合には、子機２32が存在しなくても、親機１を、第２行第２列に配置することができる。
【００７３】
次に、図７は、リモコン１５の構成例を示す平面図である。
【００７４】
セレクトボタンスイッチ５１は、上下左右方向の４つの方向の他、その中間の４つの斜め方向の合計８個の方向に操作（方向操作）することができる。さらに、セレクトボタンスイッチ５１は、リモコン１５の上面に対して垂直方向にも押下操作（セレクト操作）することができる。メニューボタンスイッチ５４は、親機１のＣＲＴ１１（または子機２のＣＲＴ３１）に、各種の設定（例えば、上述した、子機ijが、スケーラブルＴＶシステムの第ｉ列第ｊ行に配置されているものであることの設定）や、所定の処理を行うことを指令するコマンドの入力を行うためのメニュー画面を表示させるときに操作される。
【００７５】
ここで、メニュー画面が表示された場合には、そのメニュー画面における項目等を指示するカーソルが、ＣＲＴ１１に表示される。このカーソルは、セレクトボタンスイッチ５１を方向操作することで、その操作に対応する方向に移動する。また、カーソルが、所定の項目上の位置にあるときに、セレクトボタンスイッチ５１がセレクト操作されると、その項目の選択が確定される。なお、本実施の形態では、後述するように、メニューに表示される項目の中にアイコンがあり、セレクトボタンスイッチ５１は、アイコンをクリックするときも、セレクト操作される。
【００７６】
イグジットボタンスイッチ５５は、メニュー画面から元の通常の画面に戻る場合などに操作される。
【００７７】
ボリウムボタンスイッチ５２は、ボリウムをアップまたはダウンさせるときに操作される。チャンネルアップダウンボタンスイッチ５３は、受信する放送チャンネルの番号を、アップまたはダウンするときに操作される。
【００７８】
０乃至９の数字が表示されている数字ボタン（テンキー）スイッチ５８は、表示されている数字を入力するときに操作される。エンタボタンスイッチ５７は、数字ボタンスイッチ５８の操作が完了したとき、数字入力終了の意味で、それに続いて操作される。なお、チャンネルを切り換えたときは、親機１のＣＲＴ１１（もしくは子機２のＣＲＴ３１）に、新たなチャンネルの番号などが、所定の時間、ＯＳＤ(On Screen Display)表示される。ディスプレイボタン５６は、現在選択しているチャンネルの番号や、現在の音量等のＯＳＤ表示のオン／オフを切り換えるときに操作される。
【００７９】
テレビ／ビデオ切換ボタンスイッチ５９は、親機１（もしくは子機２）の入力を、後述する図１０の内蔵するチューナ１２１（もしくは後述する図１１のチューナ１４１）、または図３の入力端子２３（もしくは図５の入力端子４３）からの入力に切り換えるときに操作される。テレビ／ＤＳＳ切換ボタンスイッチ６０は、チューナ１２１において地上波による放送を受信するテレビモード、または衛星放送を受信するＤＳＳ(Digital Satellite System(Hughes Communications社の商標))モードを選択するときに操作される。数字ボタンスイッチ５８を操作してチャンネルを切り換えると、切り換え前のチャンネルが記憶され、ジャンプボタンスイッチ６１は、この切り換え前の元のチャンネルに戻るときに操作される。
【００８０】
ランゲージボタン６２は、２カ国語以上の言語により放送が行われている場合において、所定の言語を選択するときに操作される。ガイドボタンスイッチ６３は、ＥＰＧ(Electronic Program Guide)データを送信しているチャンネルを選択し、ＣＲＴ１１に表示するときに操作される。フェイバリッドボタンスイッチ６４は、あらかじめ設定されたユーザの好みのチャンネルを選択する場合に操作される。
【００８１】
ケーブルボタンスイッチ６５、テレビスイッチ６６、およびＤＳＳボタンスイッチ６７は、リモコン１５から出射される赤外線に対応するコマンドコードの機器カテゴリを切り換えるためのボタンスイッチである。即ち、リモコン１５は（リモコン３５も同様）、親機１や子機２としてのテレビジョン受像機の他、図示せぬＳＴＢやＩＲＤを遠隔制御することができるようになっており、ケーブルボタンスイッチ６５は、ＣＡＴＶ網を介して伝送されてくる信号を受信するＳＴＢ(Set Top Box)を、リモコン１５によって制御する場合に操作される。ケーブルボタンスイッチ６５の操作後は、リモコン１５からは、ＳＴＢに割り当てられた機器カテゴリのコマンドコードに対応する赤外線が出射される。同様に、テレビボタンスイッチ６６は、親機１（または子機１）を、リモコン１５によって制御する場合に操作される。ＤＳＳボタンスイッチ６７は、衛星を介して伝送されている信号を受信するＩＲＤ(Integrated Receiver and Decoder)を、リモコン１５によって制御する場合に操作される。
【００８２】
ＬＥＤ(Light Emitting Diode)６８，６９，７０は、それぞれケーブルボタンスイッチ６５、テレビボタンスイッチ６６、またはＤＳＳボタンスイッチ６７がオンにされたとき点灯し、これにより、リモコン１５が、現在、どのカテゴリの装置の制御が可能になっているのかが、ユーザに示される。なお、ＬＥＤ６８，６９，７０は、それぞれケーブルボタンスイッチ６５、テレビボタンスイッチ６６、またはＤＳＳボタンスイッチ６７がオフにされたときは消灯する。
【００８３】
ケーブル電源ボタンスイッチ７１、テレビ電源ボタンスイッチ７２、ＤＳＳ電源ボタンスイッチ７３は、ＳＴＢ、親機１（もしくは子機２）、またはＩＲＤの電源をオン／オフするときに操作される。
【００８４】
ミューティングボタンスイッチ７４は、親機１（または子機２）のミューティング状態を設定または解除するときに操作される。スリープボタンスイッチ７５は、所定の時刻になった場合、または所定の時間が経過した場合に、自動的に電源をオフするスリープモードを設定もしくは解除するときに操作される。
【００８５】
発光部７６は、リモコン１５が操作された場合に、その操作に対応する赤外線を出射するようになっている。
【００８６】
次に、図８は、子機２のリモコン３５の構成例を示す平面図である。
【００８７】
リモコン３５は、図７のリモコン１５におけるセレクトボタンスイッチ５１乃至発光部７６とそれぞれ同様に構成されるセレクトボタンスイッチ８１乃至発光部１０６から構成されるため、その説明は省略する。
【００８８】
次に、図９は、親機１のリモコン１５の他の構成例を示す平面図である。
【００８９】
図９の実施の形態では、図７における８方向に操作可能なセレクトボタンスイッチ５１に代えて、上下左右の４方向の方向ボタンスイッチ１１１，１１２，１１３，１１４と、セレクト操作を行うためのボタンスイッチ１１０が設けられている。さらに、図９の実施の形態では、ケーブルボタンスイッチ６５、テレビボタンスイッチ６６、およびＤＳＳボタンスイッチ６７が内照式とされ、図７におけるＬＥＤ６８乃至７０が省略されている。但し、ボタンスイッチ６５乃至６７の裏側には、図示せぬＬＥＤが配置されており、ボタンスイッチ６５乃至６７が操作されると、その操作に対応して、その裏側に配置されているＬＥＤがそれぞれ点灯または消灯するようになっている。
【００９０】
その他のボタンスイッチは、その配置位置は異なるものの、基本的には図７に示した場合と同様である。
【００９１】
なお、子機２のリモコン３５も、図９における場合と同様に構成することが可能である。
【００９２】
また、リモコン１５には、その移動を検出するジャイロを内蔵させるようにすることができる。この場合、リモコン１５では、その内蔵するジャイロによって、リモコン１５の移動方向と移動量を検出し、メニュー画面において表示されるカーソルを、その移動方向と移動量に対応して移動させるようにすることが可能である。このように、リモコン１５にジャイロを内蔵させる場合には、図７の実施の形態では、セレクトボタンスイッチ５１を８方向に移動することができるように構成する必要がなくなり、また、図９の実施の形態では、方向ボタンスイッチ１１１乃至１１４を設ける必要がなくなる。同様に、リモコン３５にも、ジャイロを内蔵させるようにすることが可能である。
【００９３】
次に、図１０は、親機１の電気的構成例を示している。
【００９４】
図示せぬアンテナで受信されたテレビジョン放送信号は、チューナ１２１に供給され、ＣＰＵ１２９の制御の下、検波、復調される。チューナ１２１の出力は、ＱＰＳＫ(Quadrature Phase Shift Keying)復調回路１２２に供給され、ＣＰＵ１２９の制御の下、ＱＰＳＫ復調される。ＱＰＳＫ復調回路１２２の出力は、エラー訂正回路１２３に供給され、ＣＰＵ１２９の制御の下、エラーが検出、訂正され、デマルチプレクサ１２４に供給される。
【００９５】
デマルチプレクサ１２４は、ＣＰＵ１２９の制御の下、エラー訂正回路１２３の出力を、必要に応じてデスクランブルし、さらに、所定のチャンネルのＴＳ(Transport Stream)パケットを抽出する。そして、デマルチプレクサ１２４は、画像データ（ビデオデータ）のＴＳパケットを、ＭＰＥＧ(Moving Picture Experts Group)ビデオデコーダ１２５に供給するととともに、音声データ（オーディオデータ）のＴＳパケットを、ＭＰＥＧオーディオデコーダ１２６に供給する。また、デマルチプレクサ１２４は、エラー訂正回路１２３の出力に含まれるＴＳパケットを、必要に応じて、ＣＰＵ１２９に供給する。さらに、デマルチプレクサ１２４は、ＣＰＵ１２９から供給される画像データまたは音声データ（ＴＳパケットの形にされているものを含む）を受信し、ＭＰＥＧビデオデコーダ１２５またはＭＰＥＧオーディオデコーダ１２６に供給する。
【００９６】
ＭＰＥＧビデオデコーダ１２５は、デマルチプレクサ１２４から供給される画像データのＴＳパケットを、ＭＰＥＧデコードし、セレクタ１２７に供給する。ＭＰＥＧオーディオデコーダ１２６は、デマルチプレクサ１２４から供給される音声データのＴＳパケットを、ＭＰＥＧデコードする。ＭＰＥＧオーディオデコーダ１２６でのデコードにより得られるＬチャンネルとＲチャンネルの音声データは、セレクタ１２７に供給される。
【００９７】
セレクタ１２７は、ＣＰＵ１２９の制御の下、ＭＰＥＧビデオデコーダ１２５が出力する画像データ、ＣＰＵ１２９から供給される画像データ、またはセキュリティシステム部１３７から供給される画像データを選択し、ＮＴＳＣ(National Television System Committee)エンコーダ１２８に供給する。ＮＴＳＣエンコーダ１２８は、セレクタ１２７から供給される画像データをＮＴＳＣ方式の画像データに変換し、ＣＲＴ１１に供給して表示させる。また、セレクタ１２７は、ＣＰＵ１２９の制御の下、ＭＰＥＧオーディオデコーダ１２６からのＬおよびＲチャンネルの音声データ、ＣＰＵ１２９から供給される音声データ、またはセキュリティシステム部１３７から供給される音声データを選択し、アンプ１３８に供給する。
【００９８】
ＣＰＵ１２９は、ＥＥＰＲＯＭ(Electrically Erasable Programmable Read Only Memory)１３０や、ＲＯＭ(Read Only Memory)１３１に記憶されているプログラムにしたがって各種の処理を実行し、これにより、例えば、チューナ１２１、ＱＰＳＫ復調回路１２２、エラー訂正回路１２３、デマルチプレクサ１２４、セレクタ１２７、IEEE1394インタフェース１３３、モデム１３６、およびセキュリティシステム部１３７を制御する。また、ＣＰＵ１２９は、デマルチプレクサ１２４から供給されるデータを、IEEE1394インタフェース１３３に供給し、IEEE1394インタフェース１３３から供給されるデータを、デマルチプレクサ１２４やセレクタ１２７に供給する。さらに、ＣＰＵ１２９は、フロントパネル１３４やＩＲ受信部１３５から供給されるコマンドに対応した処理を実行する。また、ＣＰＵ１２９は、モデム１３６を制御することにより、電話回線を通じて、図示せぬサーバにアクセスし、バージョンアップされたプログラムや必要なデータを取得する。
【００９９】
ＥＥＰＲＯＭ１３０は、電源オフ後も保持しておきたいデータやプログラムを記憶する。ＲＯＭ１３１は、例えば、ＩＰＬ(Initial Program Loader)のプログラムを記憶している。なお、ＥＥＰＲＯＭ１３０に記憶されたデータやプログラムは、そこに上書きすることで、バージョンアップすることができる。
【０１００】
ＲＡＭ１３２は、ＣＰＵ１２９の動作上必要なデータやプログラムを一時記憶する。
【０１０１】
IEEE1394インタフェース１３３は、端子パネル２１（のIEEE1394端子２１11乃至２１33（図３））に接続されており、IEEE1394の規格に準拠した通信を行うためのインタフェースとして機能する。これにより、IEEE1394インタフェース１３３は、ＣＰＵ１２９から供給されるデータを、IEEE1394の規格に準拠して、外部に送信する一方、外部からIEEE1394の規格に準拠して送信されてくるデータを受信し、ＣＰＵ１２９に供給する。
【０１０２】
フロントパネル１３４は、図２および図３では図示していないが、親機１の正面の一部に設けられている。そして、フロントパネル１３４は、リモコン１５（図７、図９）に設けられたボタンスイッチの一部を有しており、フロントパネル１３４のボタンスイッチが操作された場合には、その操作に対応する操作信号が、ＣＰＵ１２９に供給される。この場合、ＣＰＵ１２９は、フロントパネル１３４からの操作信号に対応した処理を行う。
【０１０３】
ＩＲ受信部１３５は、リモコン１５の操作に対応して、リモコン１５から送信されてくる赤外線を受信（受光）する。さらに、ＩＲ受信部１３５は、その受信した赤外線を光電変換し、その結果得られる信号を、ＣＰＵ１２９に供給する。この場合、ＣＰＵ１２９は、ＩＲ受信部１３５からの信号に対応した処理、即ち、リモコン１５の操作に対応した処理を行う。
【０１０４】
モデム１３６は、電話回線を介しての通信制御を行い、これにより、ＣＰＵ１２９から供給されるデータを、電話回線を介して送信するとともに、電話回線を介して送信されてくるデータを受信し、ＣＰＵ１２９に供給する。
【０１０５】
セキュリティシステム部１３７は、セキュリティコントローラ１３７Ａ、無線インタフェース１３７Ｂ、データ処理部１３７Ｃ、警告処理部１３７Ｄで構成されており、ＣＰＵ１２９の制御の下、ユーザに、緊急事態（異常）の発生を警告するための、後述する各処理を行う。
【０１０６】
即ち、セキュリティコントローラ１３７Ａは、ＣＰＵ１２９の制御の下、無線インタフェース１３７Ｂ、データ処理部１３７Ｃ、および警告処理部１３７Ｄを制御する。
【０１０７】
無線インタフェース１３７Ｂは、無線通信を行うためのインタフェースとして機能し、後述するカメラ１６２（図２３）から送信されてくる画像（動画像）データおよび音声データを受信し、セレクタ１２７とデータ処理部１３７に供給する。ここで、無線インタフェース１３７Ｂとしては、例えば、IEEE802.11に規定されている、いわゆる無線LANによる通信を行うNIC(Network Interface Card)などを採用することができる。
【０１０８】
なお、無線インタフェース１３７Ｂとしては、IEEE802.11以外の規格による無線通信を行うものを採用することが可能である。但し、無線インタフェース１３７Ｂとしては、動画のデータを送受信するのに十分な伝送帯域を有している規格に準拠しているものであることが望ましい。
【０１０９】
データ処理部１３７Ｃは、無線インタフェース１３７Ｂから供給される画像データまたは音声データの特徴量を、所定時間ごとに検出し、警告処理部１３７Ｄに供給する。
【０１１０】
警告処理部１３７Ｄは、データ処理部１３７Ｃから供給される画像データまたは音声データの特徴量の時間的変動を解析する。さらに、警告処理部１３７Ｄは、画像データまたは音声データの特徴量の時間的変動が所定の条件を満たすかどうかを判定し、その判定結果に基づき、ユーザに警告を行うべきことを、セキュリティコントローラ１３７Ａに要求する。
【０１１１】
アンプ１３８は、セレクタ１２７から供給される音声データを、必要に応じて増幅し、スピーカユニット１２Ｌおよび１２Ｒに供給する。なお、アンプ１３８は、Ｄ／Ａ(Digital/Analog)変換器１３８を内蔵しており、そこに供給される音声データを、必要に応じてＤ／Ａ変換して出力する。
【０１１２】
以上のように構成される親機１では、次のようにして、テレビジョン放送番組としての画像と音声が出力される（画像が表示され、音声が出力される）。
【０１１３】
即ち、アンテナで受信されたテレビジョン放送信号としてのトランスポートストリームが、チューナ１２１，ＱＰＳＫ復調回路１２２、およびエラー訂正回路１２３を介して、デマルチプレクサ１２４に供給される。デマルチプレクサ１２４は、トランスポートストリームから、所定の番組のＴＳパケットを抽出し、画像データのＴＳパケットを、ＭＰＥＧビデオデコーダ１２５に供給するとともに、音声データのＴＳパケットを、ＭＰＥＧオーディオデコーダ１２６に供給する。
【０１１４】
ＭＰＥＧビデオデータコーダ１２５では、デマルチプレクサ１２４からのＴＳパケットがＭＰＥＧデコードされる。そして、その結果得られる画像データが、ＭＰＥＧビデオデコーダ１２５から、セレクタ１２７およびＮＴＳＣエンコーダ１２８を経由して、ＣＲＴ１１に供給されて表示される。
【０１１５】
一方、ＭＰＥＧオーディオデコーダ１２６では、デマルチプレクサ１２４からのＴＳパケットがＭＰＥＧデコードされる。そして、その結果得られる音声データが、ＭＰＥＧオーディオデコーダ１２６から、セレクタ１２７およびアンプ１３８を介して、スピーカユニット１２Ｌおよび１２Ｒに供給されて出力される。
【０１１６】
また、親機１では、IEEE1394インタフェース１３３において、そこに供給される他の機器からのＴＳパケットが受信される。そして、そのＴＳパケットのうちの画像データのＴＳパケットと、音声データのＴＳパケットは、ＣＰＵ１２９およびデマルチプレクサ１２４を介して、ＭＰＥＧビデオデコーダ１２５と、ＭＰＥＧオーディオデコーダ１２６にそれぞれ供給され、以下、テレビジョン放送信号の画像データと音声データにおける場合と同様に出力（表示）される。
【０１１７】
さらに、親機１では、セキュリティシステム部１３７の無線インタフェース１３７Ｂにおいて、そこに供給される画像データおよび音声データが受信される。無線インタフェース１３７Ｂで受信された画像データは、セレクタ１２７およびＮＴＳＣエンコーダ１２８を介して、ＣＲＴ１１に供給されて表示される。一方、無線インタフェース１３７Ｂで受信された音声データは、セレクタ１２７およびアンプ１３８を介して、スピーカユニット１２Ｌおよび１２Ｒに供給されて出力される。
【０１１８】
従って、図１０の形態では、親機１は、画像データおよび音声データを入力する入力系統として、チューナ１２１、IEEE1394インタフェース１３３、および無線インタフェース１３７Ｂの３つの入力系統を有する。但し、親機１は、図１０には図示していないが、図３Ｆに図示したように、入力端子２３を有しており、従って、親機１は、この入力端子２３を含めると、４つの入力系統を有する。
【０１１９】
なお、親機１に設ける入力系統の数は、特に限定されるものではない。
【０１２０】
次に、図１１は、子機２の電気的構成例を示している。
【０１２１】
子機２は、図１０のチューナ１２１乃至アンプ１３８とそれぞれ同様に構成されるチューナ１４１乃至アンプ１５８から構成されるため、その説明は省略する。
【０１２２】
なお、親機１と子機２は、図３Ｆと図５Ｆに示したように、それぞれ独立して、アンテナ端子２２と４２を有するので、図１のスケーラブルＴＶシステムを構成するテレビジョン受像機としての親機１と子機２には、それぞれに、アンテナ（からのケーブル）を接続することが可能である。しかしながら、親機１と子機２それぞれに、アンテナを接続する場合には、配線が煩雑になるおそれがある。そこで、スケーラブルＴＶシステムにおいては、そのスケーラブルＴＶシステムを構成するテレビジョン受像機のうちのいずれか１つにアンテナを接続し、そのテレビジョン受像機で受信されたテレビジョン放送信号を、例えば、IEEE1394通信によって、他のテレビジョン受像機に分配するようにすることが可能である。
【０１２３】
次に、本実施の形態では、親機１の端子パネル２１のIEEE1394端子２１ij（図３）と、子機２ijの端子パネル４１のIEEE1394端子４１1（図５）とが、IEEE1394ケーブルによって接続されることにより、親機１と子機２とが、電気的に接続され、これにより、親機１と子機２との間で、IEEE1394通信（IEEE1394の規格に準拠した通信）が行われ、各種のデータ等がやりとりされる。
【０１２４】
そこで、図１２乃至図２１を参照して、IEEE1394通信について、簡単に説明する。
【０１２５】
IEEE1394は、シリアルバス規格の１つであり、IEEE1394通信は、データのアイソクロナス(isochronous) 転送を行うことができることから、画像や音声といったリアルタイムで再生する必要のあるデータの転送に適している。
【０１２６】
即ち、IEEE1394インタフェースを有する機器（IEEE1394機器）どうしの間では、１２５μｓ（マイクロ秒）周期で、最大で、１００μｓの伝送帯域（時間ではあるが、帯域と呼ばれる）を使用して、データのアイソクロナス転送を行うことができる。また、上述の伝送帯域の範囲内であれば、複数チャンネルで、アイソクロナス転送を行うことができる。
【０１２７】
図１２は、IEEE1394通信プロトコルのレイヤ構造を示している。
【０１２８】
IEEE1394プロトコルは、トランザクション層(Transaction Layer)、リンク層(Link Layer)、および物理層(Physical Layer)の３層の階層構造を有する。各階層は、相互に通信し、また、それぞれの階層は、シリアルバス管理(Serial Bus Management)と通信を行う。さらに、トランザクション層およびリンク層は、上位のアプリケーションとの通信も行う。この通信に用いられる送受信メッセージは、要求(Request)、指示（表示）(Indication)、応答(Response)、確認(Confirmation)の４種類があり、図１２における矢印は、この通信を示している。
【０１２９】
なお、矢印の名称の最後に".req"がついた通信は要求を表し、".ind"は指示を表す。また、".resp"は応答を、".conf"は確認をそれぞれ表す。例えば、TR_CONT.reqは、シリアルバス管理から、トランザクション層に送られる、要求の通信である。
【０１３０】
トランザクション層は、アプリケーションからの要求により、他のIEEE1394機器（IEEE1394インタフェースを有する機器）とデータ通信を行う為のアシンクロナス(asynchronous)伝送サービスを提供し、ISO/IEC13213で必要とされるリクエストレスポンスプロトコル(Request Response Protocol)を実現する。即ち、IEEE1394規格によるデータ転送方式としては、上述したアイソクロナス伝送の他、アシンクロナス伝送があり、トランザクション層は、アシンクロナス伝送の処理を行う。アシンクロナス伝送で伝送されるデータは、トランザクション層のプロトコルに要求する処理の単位であるリードトランザクション(read Transaction)、ライトトランザクション(write Transaction)、ロックトランザクション(lock Transaction)の３種類のトランザクションによって、IEEE1394機器間で伝送される。
【０１３１】
リンク層は、アクノリッジ(Acknowledge)を用いたデータ伝送サービス、アドレス処理、データエラー確認、データのフレーミング等の処理を行う。リンク層が行う１つのパケット伝送はサブアクションと呼ばれ、サブアクションには、アシンクロナスサブアクション(Asynchronous Subaction)およびアイソクロナスサブアクション(Isochronous Subaction)の２種類がある。
【０１３２】
アシンクロナスサブアクションは、ノード（IEEE1394においてアクセスできる単位）を特定する物理ID(Physical Identification)、およびノード内のアドレスを指定して行われ、データを受信したノードは、アクノリッジを返送する。但し、IEEE1394シリアルバス内の全てのノードにデータを送るアシンクロナスブロードキャストサブアクションでは、データを受信したノードは、アクノリッジを返送しない。
【０１３３】
一方、アイソクロナスサブアクションでは、データが、一定周期（前述したように、１２５μｓ）で、チャンネル番号を指定して伝送される。なお、アイソクロナスサブアクションでは、アクノリッジは返送されない。
【０１３４】
物理層は、リンク層で用いる論理シンボルを電気信号に変換する。さらに、物理層は、リンク層からのアービトレーション（IEEE1394通信を行うノードが競合したときの調停）の要求に対する処理を行ったり、バスリセットに伴うIEEE1394シリアルバスの再コンフィグレーションを実行し、物理IDの自動割り当てを行ったりする。
【０１３５】
シリアスバス管理では、基本的なバス制御機能の実現とISO/IEC13212のCSR(Control&Status Register Architecture)が提供される。シリアスバス管理は、ノードコントローラ(Node Controller)、アイソクロナスリソースマネージャ(Isochronous Resource Manager)、およびバスマネージャ(Bus Manager)の機能を有する。ノードコントローラは、ノードの状態、物理ID等を制御するとともに、トランザクション層、リンク層、および物理層を制御する。アイソクロナスリソースマネージャは、アイソクロナス通信に用いられるリソースの利用状況を提供するもので、アイソクロナス通信を行うためには、IEEE1394シリアルバスに接続された機器の中に少なくとも１つ、アイソクロナスリソースマネージャの機能を有するIEEE1394機器が必要である。バスマネージャは、各機能の中では、最も高機能であり、IEEE1394シリアルバスの最適利用を図ることを目的とする。なお、アイソクロナスリソースマネージャとバスマネージャの存在は、任意である。
【０１３６】
IEEE1394機器どうしは、ノード分岐とノードディジーチェインのいずれの接続も可能であるが、IEEE1394機器が新たに接続されたりすると、バスリセットが行われ、ツリー識別や、ルートノード、物理ID、アイソクロナスリソースマネージャ、サイクルマスタ、バスマネージャの決定等が行われる。
【０１３７】
ここで、ツリー識別においては、IEEE1394機器としてのノード間の親子関係が決定される。また、ルートノードは、アービトレーションによってIEEE1394シリアルバスを使用する権利を獲得したノードの指定等を行う。物理IDは、self-IDパケットと呼ばれるパケットが、各ノードに転送されることにより決定される。なお、self-IDパケットには、ノードのデータ転送レートや、ノードがアイソクロナスリソースマネージャになれるかどうかといった情報が含まれる。
【０１３８】
アイソクロナスリソースマネージャは、上述したように、アイソクロナス通信に用いられるリソースの利用状況を提供するノードで、後述する帯域幅レジスタ（BANDWIDTH_AVAILABLEレジスタ）や、チャンネル番号レジスタ（CHANNELS_AVAILABLEレジスタ）を有する。さらに、アイソクロナスリソースマネージャは、バスマネージャとなるノードの物理IDを示すレジスタも有する。なお、IEEE1394シリアルバスで接続されたIEEE1394機器としてのノードの中に、バスマネージャが存在しない場合には、アイソクロナスリソースマネージャが、簡易的なバスマネージャとして機能する。
【０１３９】
サイクルマスタは、アイソクロナス伝送の周期である１２５μｓごとに、IEEE1394シリアルバス上に、サイクルスタートパケットを送信する。このため、サイクルマスタは、その周期（１２５μｓ）をカウントするためのサイクルタイムレジスタ（CYCLE_TIMEレジスタ）を有する。なお、ルートノードがサイクルマスタになるが、ルートノードがサイクルマスタとしての機能を有していない場合には、バスマネージャがルートノードを変更する。
【０１４０】
バスマネージャは、IEEE1394シリアルバス上における電力の管理や、上述したルートノードの変更等を行う。
【０１４１】
バスリセット後に、上述したようなアイソクロナスリソースマネージャの決定等が行われると、IEEE1394シリアルバスを介してのデータ伝送が可能な状態となる。
【０１４２】
IEEE1394のデータ伝送方式の１つであるアイソクロナス伝送では、伝送帯域および伝送チャンネルが確保され、その後、データが配置されたパケット（アイソクロナスパケット）が伝送される。
【０１４３】
即ち、アイソクロナス伝送では、サイクルマスタが１２５μｓ周期でサイクルスタートパケットを、IEEE1394シリアルバス上にブロードキャストする。サイクルスタートパケットがブロードキャストされると、アイソクロナスパケットの伝送を行うことが可能な状態となる。
【０１４４】
アイソクロナス伝送を行うには、アイソクロナスリソースマネージャの提供する伝送帯域確保用の帯域幅レジスタと、チャンネル確保用のチャンネル番号レジスタを書き換えて、アイソクロナス伝送のための資源の確保を宣言する必要がある。
【０１４５】
ここで、帯域幅レジスタおよびチャンネル番号レジスタは、ISO/IEC13213で規定されている６４ビットのアドレス空間を有する、後述するCSR(Control&Status Register)の１つとして割り当てられる。
【０１４６】
帯域幅レジスタは、３２ビットのレジスタで、上位１９ビットは予約領域とされており、下位１３ビットが、現在使用することが可能な伝送帯域(bw_remaining)を表す。
【０１４７】
即ち、帯域幅レジスタの初期値は、00000000000000000001001100110011B（Bは、その前の値が２進数であることを表す）（＝４９１５）となっている。これは、次のような理由による。即ち、IEEE1394では、1572.864Mbps(bit per second)で、３２ビットの伝送に要する時間が、１として定義されており、上述の125μｓは、00000000000000000001100000000000B（＝６１４４）に相当する。しかしながら、IEEE1394では、アイソクロナス伝送に使用することのできる伝送帯域は、１周期である１２５μｓのうちの８０％であることが定められている。従って、アイソクロナス伝送で使用可能な最大の伝送帯域は、１００μｓであり、１００μｓは、上述のように、00000000000000000001001100110011B（＝４９１５）となる。
【０１４８】
なお、１２５μｓから、アイソクロナス伝送で使用される最大の伝送帯域である１００μｓを除いた残りの２５μｓの伝送帯域は、アシンクロナス伝送で使用される。アシンクロナス伝送は、帯域幅レジスタやチャンネル番号レジスタの記憶値を読み出すとき等に用いられる。
【０１４９】
アイソクロナス伝送を開始するためには、そのための伝送帯域を確保する必要がある。即ち、例えば、１周期である125μｓのうちの、10μｓの伝送帯域を使用してアイソクロナス伝送を行う場合には、その１０μｓの伝送帯域を確保する必要がある。この伝送帯域の確保は、帯域幅レジスタの値を書き換えることで行われる。即ち、上述のように、10μｓの伝送帯域を確保する場合には、その１０μｓに相当する値である４９２を、帯域幅レジスタの値から減算し、その減算値を、帯域幅レジスタにセットする。従って、例えば、いま、帯域幅レジスタの値が４９１５になっていた場合（アイソクロナス伝送が、まったく行われていない場合）に、10μｓの伝送帯域を確保するときには、帯域幅レジスタの値が、上述の４９１５から、その４９１５から１０μｓに相当する４９２を減算した４４２３（＝00000000000000000001000101000111B）に書き換えられる。
【０１５０】
なお、帯域幅レジスタの値から、確保（使用）しようとする伝送帯域を減算した値が０よりも小さくなる場合は、伝送帯域を確保することができず、従って、帯域幅レジスタの値は書き換えられないし、さらに、アイソクロナス伝送を行うこともできない。
【０１５１】
アイソクロナス伝送を行うには、上述したような伝送帯域の確保を行う他、伝送チャンネルも確保しなければならない。この伝送チャンネルの確保は、チャンネル番号レジスタを書き換えることで行われる。
【０１５２】
チャンネル番号レジスタは、６４ビットのレジスタで、各ビットが、各チャンネルに対応している。即ち、第ｎビット（最下位ビットからｎ番目のビット）は、その値が１であるときは、第ｎ−１チャンネルが未使用状態であることを表し、０であるときは、第ｎ−１チャンネルが使用状態であることを表す。従って、どのチャンネルも使用されていない場合には、チャンネル番号レジスタは、1111111111111111111111111111111111111111111111111111111111111111Bとなっており、例えば、第１チャンネルが確保されると、チャンネル番号レジスタは、1111111111111111111111111111111111111111111111111111111111111101Bに書き換えられる。
【０１５３】
なお、チャンネル番号レジスタは、上述のように６４ビットであるから、アイソクロナス伝送では、最大で、第０乃至第６３チャンネルの６４チャンネルの確保が可能であるが、第６３チャンネルは、アイソクロナスパケットをブロードキャストする場合に用いられる。
【０１５４】
以上のように、アイソクロナス伝送は、伝送帯域および伝送チャンネルの確保を行った上で行われるから、伝送レートを保証したデータ伝送を行うことができ、上述したように、画像や音声といったリアルタイムで再生する必要のあるデータ伝送に特に適している。
【０１５５】
次に、IEEE1394通信は、上述したように、ISO/IEC13213で規定された６４ビットのアドレス空間を有するCSRアーキテクチャに準拠している。
【０１５６】
図１３は、CSRアーキテクチャのアドレス空間を示している。
【０１５７】
CSRの上位１６ビットは、各ノードを示すノードIDであり、残りの４８ビットは、各ノードに与えられたアドレス空間の指定に使われる。この上位１６ビットは、さらにバスIDの１０ビットと物理ID（狭義のノードID）の６ビットに分かれる。すべてのビットが１となる値は、特別な目的で使用されるため、１０２３個のバスと６３個のノードを指定することができる。
【０１５８】
CSRの下位４８ビットにて規定される２５６テラバイトのアドレス空間のうちの上位２０ビットで規定される空間は、２０４８バイトのCSR特有のレジスタやIEEE1394特有のレジスタ等に使用されるイニシャルレジスタスペース(Initial Register Space)、プライベートスペース(Private Space)、およびイニシャルメモリスペース(Initial Memory Space)などに分割され、下位２８ビットで規定される空間は、その上位２０ビットで規定される空間が、イニシャルレジスタスペースである場合、コンフィギレーションＲＯＭ(Configuration ROM)、ノード特有の用途に使用されるイニシャルユニットスペース(Initial Unit Space)、プラグコントロールレジスタ(Plug Control Register(PCRs))などとして用いられる。
【０１５９】
ここで、図１４は、主要なCSRのオフセットアドレス、名前、および働きを示している。
【０１６０】
図１４において、「オフセット」の欄は、イニシャルレジスタスペースが始まるFFFFF0000000h（hは、その前の値が１６進数であることを表す）番地からのオフセットアドレスを示している。オフセット220hを有する帯域幅レジスタは、上述したように、アイソクロナス通信に割り当て可能な帯域を示しており、アイソクロナスリソースマネージャとして動作しているノードの値だけが有効とされる。即ち、図１３のCSRは、各ノードが有しているが、帯域幅レジスタについては、アイソクロナスリソースマネージャのものだけが有効とされる。従って、帯域幅レジスタは、実質的に、アイソクロナスリソースマネージャだけが有する。
【０１６１】
オフセット224h乃至228hのチャンネル番号レジスタは、上述したように、その各ビットが０乃至６３番のチャンネル番号のそれぞれに対応し、ビットが０である場合には、そのチャンネルが既に割り当てられていることを示している。チャンネル番号レジスタも、アイソクロナスリソースマネージャとして動作しているノードのもののみが有効である。
【０１６２】
図１３に戻り、イニシャルレジスタスペース内のアドレス400h乃至800hに、ゼネラルＲＯＭフォーマットに基づいたコンフィギレーションＲＯＭが配置される。
【０１６３】
ここで、図１５は、ゼネラルＲＯＭフォーマットを示している。
【０１６４】
IEEE1394上のアクセスの単位であるノードは、ノードの中にアドレス空間を共通に使用しつつ独立して動作をするユニットを複数個有することができる。ユニットディレクトリ(unit directories)は、このユニットに対するソフトウェアのバージョンや位置を示すことができる。バスインフォブロック(bus info block)とルートディレクトリ(root directory)の位置は固定されているが、その他のブロックの位置はオフセットアドレスによって指定される。
【０１６５】
ここで、図１６は、バスインフォブロック、ルートディレクトリ、およびユニットディレクトリの詳細を示している。
【０１６６】
バスインフォブロック内のCompany IDには、機器の製造者を示すID番号が格納される。Chip IDには、その機器固有の、他の機器と重複のない世界で唯一のIDが記憶される。また、IEC1833の規格により、IEC1883を満たした機器のユニットディレクトリのユニットスペックID(unit spec id)の、ファーストオクテットには00hが、セカンドオクテットにはA0hが、サードオクテットには2Dhが、それぞれ書き込まれる。さらに、ユニットスイッチバージョン(unit sw version)のファーストオクテットには、01hが、サードオクテットのLSB(Least Significant Bit)には、１が書き込まれる。
【０１６７】
ノードは、図１３のイニシャルレジスタスペース内のアドレス900h乃至9FFhに、IEC1883に規定されるPCR(Plug Control Register)を有する。これは、アナログインタフェースに類似した信号経路を論理的に形成するために、プラグという概念を実体化したものである。
【０１６８】
ここで、図１７は、PCRの構成を示している。
【０１６９】
PCRは、出力プラグを表すoPCR(output Plug Control Resister)と、入力プラグを表すiPCR(input Plug Control Register)を有する。また、PCRは、各機器固有の出力プラグまたは入力プラグの情報を示すレジスタoMPR(output Master Plug Register)とiMPR(input Master Plug Register)を有する。IEEE1394機器は、oMPRおよびiMPRをそれぞれ複数持つことはないが、個々のプラグに対応したoPCRおよびiPCRを、IEEE1394機器の能力によって複数持つことが可能である。図１７に示したPCRは、それぞれ３１個のoPCR#0乃至#30およびiPCR#0乃至#30を有する。アイソクロナスデータの流れは、これらのプラグに対応するレジスタを操作することによって制御される。
【０１７０】
図１８は、oMPR，oPCR，iMPR、およびiPCRの構成を示している。
【０１７１】
図１８ＡはoMPRの構成を、図１８ＢはoPCRの構成を、図１８ＣはiMPRの構成を、図１８ＤはiPCRの構成を、それぞれ示している。
【０１７２】
oMPRおよびiMPRのMSB側の２ビットのデータレートケイパビリティ(data rate capability)には、その機器が送信または受信可能なアイソクロナスデータの最大伝送速度を示すコードが格納される。oMPRのブロードキャストチャンネルベース(broadcast channel base)は、ブロードキャスト出力に使用されるチャンネルの番号を規定する。
【０１７３】
oMPRのLSB側の５ビットのナンバーオブアウトプットプラグス(number of output plugs)には、その機器が有する出力プラグ数、即ち、oPCRの数を示す値が格納される。iMPRのＬＳＢ側の５ビットのナンバーオブインプットプラグス(number of input plugs)には、その機器が有する入力プラグ数、即ち、iPCRの数を示す値が格納される。non-persistent extension fieldおよびpersistent extension fieldは、将来の拡張の為に定義された領域である。
【０１７４】
oPCRおよびiPCRのMSBのオンライン(on-line)は、プラグの使用状態を示す。即ち、その値が１であればそのプラグがON-LINEであり、０であればOFF-LINEであることを示す。oPCRおよびiPCRのブロードキャストコネクションカウンタ(broadcast connection counter)の値は、ブロードキャストコネクションの有り（１）または無し（０）を表す。oPCRおよびiPCRの６ビット幅を有するポイントトウポイントコネクションカウンタ(point-to-point connection counter)が有する値は、そのプラグが有するポイントトウポイントコネクション(point-to-point connection)の数を表す。
【０１７５】
oPCRおよびiPCRの６ビット幅を有するチャンネルナンバ(channel number)が有する値は、そのプラグが接続されるアイソクロナスチャンネルの番号を示す。oPCRの２ビット幅を有するデータレート(data rate)の値は、そのプラグから出力されるアイソクロナスデータのパケットの現実の伝送速度を示す。oPCRの４ビット幅を有するオーバーヘッドID(overhead ID)に格納されるコードは、アイソクロナス通信のオーバーのバンド幅を示す。oPCRの１０ビット幅を有するペイロード(payload)の値は、そのプラグが取り扱うことができるアイソクロナスパケットに含まれるデータの最大値を表す。
【０１７６】
次に、以上のようなIEEE1394通信を行うIEEE1394機器については、その制御のためのコマンドとして、AV/Cコマンドセットが規定されている。そこで、本実施の形態でも、親機１と子機２は、このAV/Cコマンドセットを利用して、相互を制御することができるようになっている。但し、親機１または子機２を制御するにあたっては、AV/Cコマンドセット以外の独自のコマンド体系を用いることも可能である。
【０１７７】
ここで、AV/Cコマンドセットについて、簡単に説明する。
【０１７８】
図１９は、アシンクロナス転送モードで伝送されるAV/Cコマンドセットのパケットのデータ構造を示している。
【０１７９】
AV/Cコマンドセットは、ＡＶ(Audio Visual)機器を制御するためのコマンドセットで、AV/Cコマンドセットを用いた制御系では、ノード間において、AV/Cコマンドフレームおよびレスポンスフレームが、FCP(Function Control Protocol)を用いてやり取りされる。バスおよびＡＶ機器に負担をかけないために、コマンドに対するレスポンスは、１００ｍｓ以内に行うことになっている。
【０１８０】
図１９に示すように、アシンクロナスパケットのデータは、水平方向３２ビット（＝1 quadlet）で構成されている。図中上段はパケットのヘッダ部分(packet header)を示しており、図中下段はデータブロック(data block)を示している。destination_IDは、宛先を示している。
【０１８１】
CTSはコマンドセットのIDを示しており、AV/CコマンドセットではCTS＝“００００”である。ctype/responseは、パケットがコマンドの場合はコマンドの機能分類を示し、パケットがレスポンスの場合はコマンドの処理結果を示す。コマンドは大きく分けて、（１）機能を外部から制御するコマンド(CONTROL)、（２）外部から状態を問い合わせるコマンド(STATUS)、（３）制御コマンドのサポートの有無を外部から問い合わせるコマンド(GENERAL INQUIRY（opcodeのサポートの有無）およびSPECIFIC INQUIRY（opcodeおよびoperandsのサポートの有無）)、（４）状態の変化を外部に知らせるよう要求するコマンド(NOTIFY)の４種類が定義されている。
【０１８２】
レスポンスはコマンドの種類に応じて返される。CONTROLコマンドに対するレスポンスには、NOT INPLEMENTED（実装されていない）、ACCEPTED（受け入れる）、REJECTED（拒絶）、およびINTERIM（暫定）がある。STATUSコマンドに対するレスポンスには、NOT INPLEMENTED、REJECTED、IN TRANSITION（移行中）、およびSTABLE（安定）がある。GENERAL INQUIRYおよびSPECIFIC INQUIRYコマンドに対するレスポンスには、IMPLEMENTED（実装されている）、およびNOT IMPLEMENTEDがある。NOTIFYコマンドに対するレスポンスには、NOT IMPLEMENTED，REJECTED，INTERIM、およびCHANGED（変化した）がある。
【０１８３】
subunit typeは、機器内の機能を特定するために設けられており、例えば、tape recorder/player，tuner等が割り当てられる。同じ種類のsubunitが複数存在する場合の判別を行うために、判別番号としてsubunit id（subunit typeの後に配置される）でアドレッシングを行う。opcodeはコマンドを表しており、operandはコマンドのパラメータを表している。Additional operandsは追加のoperandが配置されるフィールドである。paddingはパケット長を所定のビット数とするためにダミーのデータが配置されるフィールドである。data CRC(Cyclic Redundancy Check)はデータ伝送時のエラーチェックに使われるCRCが配置される。
【０１８４】
次に、図２０は、AV/Cコマンドの具体例を示している。
【０１８５】
図２０Ａは、ctype/responseの具体例を示している。図中上段がコマンド(Command)を表しており、図中下段がレスポンス(Response)を表している。“００００”にはCONTROL、“０００１”にはSTATUS、“００１０”にはSPECIFIC INQUIRY、“００１１”にはNOTIFY、“０１００”にはGENERAL INQUIRYが割り当てられている。“０１０１乃至０１１１”は将来の仕様のために予約確保されている。また、“１０００”にはNOT INPLEMENTED、“１００１”にはACCEPTED、“１０１０”にはREJECTED、“１０１１”にはIN TRANSITION、“１１００”にはIMPLEMENTED/STABLE、“１１０１”にはCHNGED、“１１１１”にはINTERIMが割り当てられている。“１１１０”は将来の仕様のために予約確保されている。
【０１８６】
図２０Ｂは、subunit typeの具体例を示している。“０００００”にはVideo Monitor、“０００１１”にはDisk recorder/Player、“００１００”にはTape recorder/Player、“００１０１”にはTuner、“００１１１”にはVideo Camera、“１１１００”にはVendor unique、“１１１１０”にはSubunit type extended to next byteが割り当てられている。なお、“１１１１１”にはunitが割り当てられているが、これは機器そのものに送られる場合に用いられ、例えば電源のオンオフなどが挙げられる。
【０１８７】
図２０Ｃは、opcodeの具体例を示している。各subunit type毎にopcodeのテーブルが存在し、ここでは、subunit typeがTape recorder/Playerの場合のopcodeを示している。また、opcode毎にoperandが定義されている。ここでは、“００ｈ”にはVENDOR-DEPENDENT、“５０ｈ”にはSEACH MODE、“５１ｈ”にはTIMECODE、“５２ｈ”にはATN、“６０ｈ”にはOPEN MIC、“６１ｈ”にはREAD MIC、 “６２ｈ”にはWRITE MIC、“Ｃ１ｈ”にはLOAD MEDIUM、“Ｃ２ｈ”にはRECORD、“Ｃ３ｈ”にはPLAY、“Ｃ４ｈ”にはWINDが、それぞれ割り当てられている。
【０１８８】
図２１は、AV/Cコマンドとレスポンスの具体例を示している。
【０１８９】
例えば、ターゲット（コンスーマ）（制御される側）としての再生機器に再生指示を行う場合、コントローラ（制御する側）は、図２１Ａのようなコマンドをターゲットに送る。このコマンドは、AV/Cコマンドセットを使用しているため、CTS＝“００００”となっている。ctypeは、機器を外部から制御するコマンド(CONTROL)を用いるため、“００００”となっている（図２０Ａ）。subunit typeは、Tape recorder/Playerであることより、“００１００”となっている（図２０Ｂ）。idは、ID#0の場合を示しており、０００となっている。opcodeは、再生を意味する“Ｃ３ｈ”となっている（図２０Ｃ）。operandは、FORWARDを意味する“７５ｈ”となっている。そして、再生されると、ターゲットは、図２１Ｂのようなレスポンスをコントローラに返す。ここでは、受け入れを意味するacceptedがresponseに配置されており、responseは、“１００１”となっている（図２０Ａ参照）。responseを除いて、他は図２１Ａと同じであるので説明は省略する。
【０１９０】
スケーラブルＴＶシステムにおいて、親機１と子機２との間では、上述のようなAV/Cコマンドセットを用いて、各種の制御が行われる。但し、本実施の形態では、親機１と子機２との間で行われる制御のうち、既定のコマンドとレスポンスで対処できないものについては、新たなコマンドとレスポンスが定義されており、その新たなコマンドとレスポンスを用いて、各種の制御が行われる。
【０１９１】
なお、以上のIEEE1394通信およびAV/Cコマンドセットについては、「WHITE SERISE No.181 IEEE1394マルチメディアインタフェース」株式会社トリケップス発行、にその詳細が説明されている。
【０１９２】
次に、図２２は、図１のスケーラブルＴＶシステムを利用したセキュリティシステムの構成例を示している。
【０１９３】
図２２の実施の形態では、セキュリティシステムは、複数のテレビジョン受像機でなるスケーラブルＴＶシステム１６１と、３台のカメラ（ビデオカメラ）１６２1，１６２2、および１６２3で構成されている。
【０１９４】
スケーラブルＴＶシステム１６１は、例えば、図１ＡのスケーラブルＴＶシステムと同様に構成されている。
【０１９５】
カメラ１６２1乃至１６２3それぞれは、例えば、ディジタルビデオカメラであり、画像を撮像するとともに、音声を収集し、その結果得られる画像データおよび音声データを、無線によって、スケーラブルＴＶシステム１６１を構成する所定のテレビジョン受像機に送信する。
【０１９６】
なお、図２２の実施の形態におけるセキュリティシステムは、３台のカメラ１６２1乃至１６２3を設けて構成されているが、セキュリティシステムを構成するカメラの数は、３台に限定されるものではなく、セキュリティシステムには、１台以上の任意の台数のカメラを設けることが可能である。
【０１９７】
また、セキュリティシステムにおいて、カメラ１６２からの画像データおよび音声データを受信することのできるテレビジョン受像機の数は、最大で、スケーラブルＴＶシステムを１６１構成するテレビジョン受像機の数に等しい。このため、セキュリティシステムにおいて、スケーラブルＴＶシステム１６１を構成するテレビジョン受像機の数を越える数のカメラ１６２を設置する場合には、そのテレビジョン受像機の数を越える数のカメラ１６２からの画像データおよび音声データは、スケーラブルＴＶシステム１６１において受信することはできない。但し、スケーラブルＴＶシステム１６１の各テレビジョン受像機において、画像データおよび音声データを受信するカメラを切り換えることは可能である。
【０１９８】
ここで、以下、適宜、カメラ１６２1乃至１６２3を、特に区別する必要がない限り、カメラ１６２と記述する。
【０１９９】
次に、図２３は、図２２のカメラ１６２の構成例を示している。
【０２００】
被写体からの光は、レンズ、フォーカスを調整する機構、および絞りを調整する機構等などで構成される光学系１７１に入射し、CCD(Charge Coupled Device)１７２の受光面上に集光される。CCD１７２は、光学系１７１からの光を光電変換することにより、電気信号としての画像データとして、アンプ１７３に供給する。アンプ１７３は、CCD１７２からの画像データを増幅し、Ａ／Ｄ(Analog/Digital)変換部１７４に供給する。Ａ／Ｄ変換部１７４は、アンプ１７３から供給されるアナログ信号としての画像データを、サンプリングして量子化する（Ａ／Ｄ変換する）ことにより、ディジタル信号としての画像データに変換し、メモリ１７５に供給するメモリ１７５は、Ａ／Ｄ変換部１７４からの画像データを一時記憶する。
【０２０１】
一方、マイク１７６では、周辺の空気振動としての音声が、電気信号としての音声データに変換され、アンプ１７７に供給される。アンプ１７７は、マイク１７６からの音声データを増幅し、Ａ／Ｄ変換部１７８に供給する。Ａ／Ｄ変換部１７８は、アンプ１７７からのアナログ信号としての音声データをＡ／Ｄ変換することにより、ディジタルの音声データとし、メモリ１７９に供給する。メモリ１７９は、Ａ／Ｄ変換部１７８からの音声データを一時記憶する。
【０２０２】
無線インタフェース１８０は、図１０で説明した無線インタフェース１３７Ｂと同一のインタフェースで、メモリ１７５と１７９それぞれに記憶された画像データおよび音声データを、無線により、スケーラブルＴＶシステム１６１を構成する所定のテレビジョン受像機に送信する。
【０２０３】
なお、無線インタフェース１３７Ｂと１８０との間の無線通信には、例えば、TCP/IP(Transmission Control Protocol/Internet Protocol)を採用することが可能である。この場合、カメラ１６２1乃至１６２3それぞれが、スケーラブルＴＶシステム１６１を構成するいずれのテレビジョン受像機に対して、画像データおよび音声データを送信するかは、IPアドレスによって指定することができる。
【０２０４】
また、カメラ１６２は、可搬型のカメラとすることができる。この場合、ユーザは、カメラ１６２を、所望の場所を撮影することができるように、容易に設置することができる。
【０２０５】
さらに、カメラ１６２では、MPEGその他の方式によって、画像データおよび音声データを符号化して送信するようにすることが可能である。
【０２０６】
次に、図２４のフローチャートを参照して、図２２のスケーラブルＴＶシステム１６１を構成するテレビジョン受像機としての親機１（図１０）の処理について説明する。
【０２０７】
まず最初に、ステップＳ４１において、ＣＰＵ１２９は、端子パネル２１に、何らかの機器が接続されるか、または、IEEE1394インタフェース１３３もしくはＩＲ受信部１３５から、何らかのコマンドが供給されるというイベントが生じたかどうかを判定し、何らのイベントも生じていないと判定した場合、ステップＳ４１に戻る。
【０２０８】
また、ステップＳ４１において、端子パネル２１に機器が接続されるイベントが生じたと判定された場合、ステップＳ４２に進み、ＣＰＵ１２９は、後述する図２５の認証処理を行い、ステップＳ４１に戻る。
【０２０９】
ここで、端子パネル２１に機器が接続されたかどうかを判定するには、端子パネル２１に機器が接続されたことを検出する必要があるが、この検出は、例えば、次のようにして行われる。
【０２１０】
即ち、端子パネル２１（図３）に設けられたIEEE1394端子２１ijに、（IEEE1394ケーブルを介して）機器が接続されると、そのIEEE1394端子２１ijの端子電圧が変化する。IEEE1394インタフェース１３３は、この端子電圧の変化を、ＣＰＵ１２９に報告するようになっており、ＣＰＵ１２９は、IEEE1394インタフェース１３３から、端子電圧の変化の報告を受けることによって、端子パネル２１に機器が新たに接続されたことを検出する。なお、ＣＰＵ１２９は、例えば、同様の手法で、端子パネル２１から機器が切り離されたことを認識する。
【０２１１】
一方、ステップＳ４１において、IEEE1394インタフェース１３３もしくはＩＲ受信部１３５から、何らかのコマンドが供給されるイベントが生じたと判定された場合、ステップＳ４３に進み、親機１では、そのコマンドに対応した処理が行われ、ステップＳ４１に戻る。
【０２１２】
次に、図２５のフローチャートを参照して、親機１が図２４のステップＳ４２で行う認証処理について説明する。
【０２１３】
親機１の認証処理では、端子パネル２１に新たに接続された機器（以下、適宜、接続機器という）が、正当なIEEE1394機器であるかどうかについての認証と、そのIEEE1394機器が、親機または子機となるテレビジョン受像機（スケーラブル対応機）であるかどうかについての認証の２つの認証が行われる。
【０２１４】
即ち、親機１の認証処理では、まず最初に、ステップＳ５１において、ＣＰＵ１２９は、IEEE1394インタフェース１３３を制御することにより、接続機器に対して、相互認証を行うことを要求する認証要求コマンドを送信させ、ステップＳ５２に進む。
【０２１５】
ステップＳ５２では、ＣＰＵ１２９は、認証要求コマンドに対応するレスポンスが、接続機器から返ってきたかどうかを判定する。ステップＳ５２において、認証要求コマンドに対応するレスポンスが、接続機器から返ってきていないと判定された場合、ステップＳ５３に進み、ＣＰＵ１２９は、タイムオーバとなったかどうか、即ち、認証要求コマンドを送信してから所定の時間が経過したかどうかを判定する。
【０２１６】
ステップＳ５３において、タイムオーバであると判定された場合、即ち、認証要求コマンドを、接続機器に送信してから、所定の時間が経過しても、その接続機器から、認証要求コマンドに対応するレスポンスが返ってこない場合、ステップＳ５４に進み、ＣＰＵ１２９は、接続機器が正当なIEEE1394機器でなく、認証に失敗したとして、動作モードを、その接続機器との間では、何らのデータのやりとりも行わないモードである単体モードに設定して、リターンする。
【０２１７】
従って、親機１は、その後、正当なIEEE1394機器でない接続機器との間では、IEEE1394通信は勿論、何らのデータのやりとりも行わない。
【０２１８】
一方、ステップＳ５３において、タイムオーバでないと判定された場合、ステップＳ５２に戻り、以下、同様の処理を繰り返す。
【０２１９】
そして、ステップＳ５２において、認証要求コマンドに対応するレスポンスが、接続機器から返ってきたと判定された場合、即ち、接続機器からのレスポンスが、IEEE1394インタフェース１３３で受信され、ＣＰＵ１２９に供給された場合、ステップＳ５５に進み、ＣＰＵ１２９は、所定のアルゴリズムにしたがって、乱数（疑似乱数）Ｒ１を生成し、IEEE1394インタフェース１３３を介して、接続機器に送信する。
【０２２０】
その後、ステップＳ５６に進み、ＣＰＵ１２９は、ステップＳ５５で送信した乱数Ｒ１に対して、その乱数Ｒ１を、所定の暗号化アルゴリズム（例えば、DES(Data Encryption Standard)や、FEAL(Fast data Encipherment Algorithm)、RC5などの秘密鍵暗号化方式）で暗号化した暗号化乱数Ｅ'（Ｒ１）が、接続機器から送信されてきたかどうかを判定する。
【０２２１】
ステップＳ５６において、接続機器から暗号化乱数Ｅ'（Ｒ１）が送信されてきていないと判定された場合、ステップＳ５７に進み、ＣＰＵ１２９は、タイムオーバとなったかどうか、即ち、乱数Ｒ１を送信してから所定の時間が経過したかどうかを判定する。
【０２２２】
ステップＳ５７において、タイムオーバであると判定された場合、即ち、乱数Ｒ１を、接続機器に送信してから、所定の時間が経過しても、その接続機器から、暗号化乱数Ｅ'（Ｒ１）が送信されてこない場合、ステップＳ５４に進み、ＣＰＵ１２９は、上述したように、接続機器が正当なIEEE1394機器でないとして、動作モードを単体モードに設定して、リターンする。
【０２２３】
一方、ステップＳ５７において、タイムオーバでないと判定された場合、ステップＳ５６に戻り、以下、同様の処理を繰り返す。
【０２２４】
そして、ステップＳ５６において、接続機器から暗号化乱数Ｅ'（Ｒ１）が送信されてきたと判定された場合、即ち、接続機器からの暗号化乱数Ｅ'（Ｒ１）が、IEEE1394インタフェース１３３で受信され、ＣＰＵ１２９に供給された場合、ステップＳ５８に進み、ＣＰＵ１２９は、ステップＳ５５で生成した乱数Ｒ１を、所定の暗号化アルゴリズムで暗号化し、暗号化乱数Ｅ（Ｒ１）を生成して、ステップＳ５９に進む。
【０２２５】
ステップＳ５９では、ＣＰＵ１２９は、接続機器から送信されてきた暗号化乱数Ｅ'（Ｒ１）と、自身がステップＳ５８で生成した暗号化乱数Ｅ（Ｒ１）とが等しいかどうかを判定する。
【０２２６】
ステップＳ５９において、暗号化乱数Ｅ'（Ｒ１）とＥ（Ｒ１）とが等しくないと判定された場合、即ち、接続機器で採用されている暗号化アルゴリズム（必要に応じて、暗号化に用いられる秘密鍵も含む）が、ＣＰＵ１２９で採用されている暗号化アルゴリズムと異なるものである場合、ステップＳ５４に進み、ＣＰＵ１２９は、上述したように、接続機器が正当なIEEE1394機器でないとして、動作モードを単体モードに設定して、リターンする。
【０２２７】
また、ステップＳ５９において、暗号化乱数Ｅ'（Ｒ１）とＥ（Ｒ１）とが等しいと判定された場合、即ち、接続機器で採用されている暗号化アルゴリズムが、ＣＰＵ１２９で採用されている暗号化アルゴリズムと等しいものである場合、ステップＳ６０に進み、ＣＰＵ１２９は、接続機器が親機１の認証を行うための乱数Ｒ２が、接続機器から送信されてきたかどうかを判定する。
【０２２８】
ステップＳ６０において、乱数Ｒ２が送信されてきていないと判定された場合、ステップＳ６１に進み、ＣＰＵ１２９は、タイムオーバとなったかどうか、即ち、例えば、ステップＳ５９で暗号化乱数Ｅ'（Ｒ１）とＥ（Ｒ１）とが等しいと判定されてから、所定の時間が経過したかどうかを判定する。
【０２２９】
ステップＳ６１において、タイムオーバであると判定された場合、即ち、相当の時間が経過しても、接続機器から、乱数Ｒ２が送信されてこない場合、ステップＳ５４に進み、ＣＰＵ１２９は、上述したように、接続機器が正当なIEEE1394機器でないとして、動作モードを単体モードに設定して、リターンする。
【０２３０】
一方、ステップＳ６１において、タイムオーバでないと判定された場合、ステップＳ６０に戻り、以下、同様の処理を繰り返す。
【０２３１】
そして、ステップＳ６０において、接続機器から、乱数Ｒ２が送信されてきたと判定された場合、即ち、接続機器からの乱数Ｒ２が、IEEE1394インタフェース１３３で受信され、ＣＰＵ１２９に供給された場合、ステップＳ６２に進み、ＣＰＵ１２９は、乱数Ｒ２を所定の暗号化アルゴリズムで暗号化し、暗号化乱数Ｅ（Ｒ１）を生成して、IEEE1394インタフェース１３３を介して、接続機器に送信する。
【０２３２】
ここで、ステップＳ６０において、接続機器から乱数Ｒ２が送信されてきた時点で、接続機器が正当なIEEE1394機器であることの認証が成功する。
【０２３３】
その後、ステップＳ６３に進み、ＣＰＵ１２９は、IEEE1394インタフェース１３３を制御することにより、接続機器の機器IDと機能情報を要求する機能情報要求コマンドとともに、自身の機器IDと機能情報を、接続機器に送信する。
【０２３４】
ここで、機器IDは、親機１や子機２となるテレビジョン受像機を特定するユニークなIDである。
【０２３５】
また、機能情報は、自身の機能に関する情報で、例えば、外部から受け付けるコマンドの種類（例えば、電源のオン／オフ、音量調整、チャンネル、輝度、シャープネスなどを制御するコマンドのうちのいずれを外部から受け付けるか）、管面表示（ＯＳＤ表示）が可能かどうか、ミュート状態になり得るかどうか、スリープ状態となり得るかどうかなどといった情報が含まれる。さらに、機能情報には、自身が親機としての機能を有するのか、または子機としての機能を有するのかといった情報も含まれる。
【０２３６】
なお、親機１では、機器IDおよび機能情報は、例えば、ＥＥＰＲＯＭ１３０や、図１５に示したコンフィギレーションＲＯＭのvendor_dependent_informationなどに記憶させておくことができる。
【０２３７】
その後、ステップＳ６４に進み、ＣＰＵ１２９は、ステップＳ６３で接続機器に送信した機能情報要求コマンドに対応して、その接続機器が、機器IDと機能情報を送信してくるのを待って、その機器IDと機能情報を、IEEE1394インタフェース１３３を介して受信し、ＥＥＰＲＯＭ１３０に記憶させて、ステップＳ６５に進む。
【０２３８】
ステップＳ６５では、ＣＰＵ１２９は、ＥＥＰＲＯＭ１３０に記憶された機能情報を参照することにより、接続機器が子機であるかどうかを判定する。ステップＳ６５において、接続機器が子機であると判定された場合、即ち、接続機器が子機であることの認証に成功した場合、ステップＳ６６およびＳ６７をスキップして、ステップＳ６８に進み、ＣＰＵ１２９は、動作モードを、全画面表示を可能とする全画面表示可能モードに設定して、リターンする。
【０２３９】
一方、ステップＳ６５において、接続機器が子機でないと判定された場合、ステップＳ６６に進み、ＣＰＵ１２９は、ＥＥＰＲＯＭ１３０に記憶された機能情報を参照することにより、接続機器が親機であるかどうかを判定する。ステップＳ６６において、接続機器が親機であると判定された場合、即ち、接続機器が親機であることの認証に成功した場合、ステップＳ６７に進み、ＣＰＵ１２９は、親機である接続機器との間で親子調整処理を行う。
【０２４０】
即ち、この場合、親機１に、他の親機が接続されていることから、スケーラブルＴＶシステムを構成するテレビジョン受像機の中に、親機として機能するものが、２台存在することになる。本実施の形態では、スケーラブルＴＶシステムにおける親機は１台である必要があり、このため、ステップＳ６７では、親機１と、接続機器としての親機との間で、いずれが親機としてのテレビジョン受像機として機能するかを決定する親子調整処理が行われる。
【０２４１】
具体的には、例えば、より早く、スケーラブルＴＶシステムを構成することとなった親機、つまり、本実施の形態では、親機１が、親機としてのテレビジョン受像機として機能するように決定される。なお、親機として機能するように決定されなかった他の親機は、子機として機能することとなる。
【０２４２】
ステップＳ６７で親子調整処理が行われた後は、ステップＳ６８に進み、ＣＰＵ１２９は、上述したように、動作モードを、全画面表示可能モードに設定して、リターンする。
【０２４３】
一方、ステップＳ６６において、接続機器が親機でないと判定された場合、即ち、接続機器が親機および子機のいずれでもなく、従って、接続機器が親機または子機であることの認証に失敗した場合、ステップＳ６９に進み、ＣＰＵ１２９は、動作モードを、接続機器との間で、既定のAV/Cコマンドセットのやりとりは可能であるが、全画面表示を行うための制御コマンドのやりとりはできない通常機能コマンド受付／提供モードに設定して、リターンする。
【０２４４】
即ち、この場合、接続機器は、親機および子機のいずれでもないため、そのような接続機器が、親機１に接続されても、全画面表示の機能は提供されない。但し、この場合、接続機器は、正当なIEEE1394機器ではあることから、親機１と接続機器との間における既定のAV/Cコマンドセットのやりとりは許可される。従って、この場合、親機１と接続機器については、他方（あるいは、親機１に接続されている他のIEEE1394機器）から、既定のAV/Cコマンドセットによって制御することは可能である。
【０２４５】
次に、図２６のフローチャートを参照して、図２２のスケーラブルＴＶシステムを構成するテレビジョン受像機としての子機２（図１１）の処理について説明する。
【０２４６】
まず最初に、ステップＳ７１において、ＣＰＵ１４９は、端子パネル４１に、何らかの機器が接続されるか、または、IEEE1394インタフェース１５３もしくはＩＲ受信部１５５から、何らかのコマンドが供給されるというイベントが生じたかどうかを判定し、何らのイベントも生じていないと判定した場合、ステップＳ７１に戻る。
【０２４７】
また、ステップＳ７１において、端子パネル４１に機器が接続されるイベントが生じたと判定された場合、ステップＳ７２に進み、ＣＰＵ１４９は、後述する図２７の認証処理を行い、ステップＳ７１に戻る。
【０２４８】
ここで、端子パネル４１に機器が接続されたかどうかを判定するには、端子パネル４１に機器が接続されたことを検出する必要があるが、この検出は、例えば、図２４のステップＳ４１で説明した場合と同様に行われる。
【０２４９】
一方、ステップＳ７１において、IEEE1394インタフェース１５３もしくはＩＲ受信部１５５から、何らかのコマンドが供給されるイベントが生じたと判定された場合、ステップＳ７３に進み、子機２では、そのコマンドに対応した処理が行われ、ステップＳ７１に戻る。
【０２５０】
次に、図２７のフローチャートを参照して、子機２が図２６のステップＳ７２で行う認証処理について説明する。
【０２５１】
子機２の認証処理では、端子パネル４１に新たに接続された機器（接続機器）が、正当なIEEE1394機器であるかどうかについての認証と、そのIEEE1394機器が、親機であるかどうかについての認証の２つの認証が行われる。
【０２５２】
即ち、子機２の認証処理では、まず最初に、ステップＳ８１において、ＣＰＵ１４９は、接続機器から、相互認証を行うことを要求する認証要求コマンドが送信されてきたかどうかを判定し、送信されてきていないと判定した場合、ステップＳ８２に進む。
【０２５３】
ステップＳ８２では、ＣＰＵ１４９は、タイムオーバとなったかどうか、即ち、認証処理を開始してから所定の時間が経過したかどうかを判定する。
【０２５４】
ステップＳ８２において、タイムオーバであると判定された場合、即ち、認証処理を開始してから、所定の時間が経過しても、接続機器から、認証要求コマンドが送信されてこない場合、ステップＳ８３に進み、ＣＰＵ１４９は、接続機器が正当なIEEE1394機器でなく、認証に失敗したとして、動作モードを、その接続機器との間では、何らのデータのやりとりも行わないモードである単体モードに設定して、リターンする。
【０２５５】
従って、子機２は、親機１と同様に、正当なIEEE1394機器でない接続機器との間では、IEEE1394通信は勿論、何らのデータのやりとりも行わない。
【０２５６】
一方、ステップＳ８２において、タイムオーバでないと判定された場合、ステップＳ８１に戻り、以下、同様の処理を繰り返す。
【０２５７】
そして、ステップＳ８１において、認証要求コマンドが、接続機器から送信されてきたと判定された場合、即ち、図２５のステップＳ５１で接続機器としての親機１から送信されてくる認証要求コマンドが、IEEE1394インタフェース１５３で受信され、ＣＰＵ１４９に供給された場合、ステップＳ８４に進み、ＣＰＵ１４９は、IEEE1394インタフェース１５３を制御することにより、認証要求コマンドに対するレスポンスを、接続機器に送信させる。
【０２５８】
ここで、本実施の形態では、図２５におけるステップＳ５１乃至Ｓ５３の処理を親機１に、図２７のステップＳ８１，Ｓ８２、およびＳ８４の処理を子機２に、それぞれ行わせるようにしたが、図２５におけるステップＳ５１乃至Ｓ５３の処理は子機２に、図２７のステップＳ８１，Ｓ８２、およびＳ８４の処理は親機１に、それぞれ行わせるようにすることも可能である。
【０２５９】
その後、ステップＳ８５に進み、ＣＰＵ１４９は、接続機器から、乱数Ｒ１が送信されてきたかどうかを判定し、送信されてきていないと判定した場合、ステップＳ８６に進む。
【０２６０】
ステップＳ８６では、ＣＰＵ１４９は、タイムオーバとなったかどうか、即ち、ステップＳ８４で認証要求コマンドに対するレスポンスを送信してから所定の時間が経過したかどうかを判定する。
【０２６１】
ステップＳ８６において、タイムオーバであると判定された場合、即ち、認証コマンドに対するレスポンスを送信してから、所定の時間が経過しても、接続機器から、乱数Ｒ１が送信されてこない場合、ステップＳ８３に進み、ＣＰＵ１４９は、上述したように、接続機器が正当なIEEE1394機器でないとして、動作モードを、その接続機器との間では、何らのデータのやりとりも行わないモードである単体モードに設定して、リターンする。
【０２６２】
一方、ステップＳ８６において、タイムオーバでないと判定された場合、ステップＳ８５に戻り、以下、同様の処理を繰り返す。
【０２６３】
そして、ステップＳ８５において、接続機器から乱数Ｒ１が送信されてきたと判定された場合、即ち、図２５のステップＳ５５で接続機器としての親機１から送信されてくる乱数Ｒ１が、IEEE1394インタフェース１５３で受信され、ＣＰＵ１４９に供給された場合、ステップＳ８７に進み、ＣＰＵ１４９は、その乱数Ｒ１を、所定の暗号化アルゴリズムで暗号化し、暗号化乱数Ｅ'（Ｒ１）を生成する。さらに、ステップＳ８７では、ＣＰＵ１４９は、IEEE1394インタフェース１５３を制御することにより、暗号化乱数Ｅ'（Ｒ１）を、接続機器に送信し、ステップＳ８９に進む。
【０２６４】
ステップＳ８９では、ＣＰＵ１４９は、乱数（疑似乱数）Ｒ２を生成し、IEEE1394インタフェース１５３を制御することにより、乱数Ｒ２を接続機器に送信させ、ステップＳ９０に進む。
【０２６５】
ステップＳ９０では、ＣＰＵ１４９は、接続機器としての親機１が図２５のステップＳ６２で生成する、乱数Ｒ２を暗号化した暗号化乱数Ｅ（Ｒ２）が、接続機器から送信されてきたかどうかを判定する。
【０２６６】
ステップＳ９０において、接続機器から暗号化乱数Ｅ（Ｒ２）が送信されてきていないと判定された場合、ステップＳ９１に進み、ＣＰＵ１４９は、タイムオーバとなったかどうか、即ち、乱数Ｒ２を送信してから所定の時間が経過したかどうかを判定する。
【０２６７】
ステップＳ９１において、タイムオーバであると判定された場合、即ち、乱数Ｒ２を、接続機器に送信してから、所定の時間が経過しても、その接続機器から、暗号化乱数Ｅ（Ｒ２）が送信されてこない場合、ステップＳ８３に進み、ＣＰＵ１４９は、上述したように、接続機器が正当なIEEE1394機器でないとして、動作モードを単体モードに設定して、リターンする。
【０２６８】
一方、ステップＳ９１において、タイムオーバでないと判定された場合、ステップＳ９０に戻り、以下、同様の処理を繰り返す。
【０２６９】
そして、ステップＳ９０において、接続機器から暗号化乱数Ｅ（Ｒ２）が送信されてきたと判定された場合、即ち、接続機器からの暗号化乱数Ｅ（Ｒ２）が、IEEE1394インタフェース１５３で受信され、ＣＰＵ１４９に供給された場合、ステップＳ９２に進み、ＣＰＵ１４９は、ステップＳ８９で生成した乱数Ｒ２を、所定の暗号化アルゴリズムで暗号化し、暗号化乱数Ｅ'（Ｒ２）を生成して、ステップＳ９３に進む。
【０２７０】
ステップＳ９３では、ＣＰＵ１４９は、接続機器から送信されてきた暗号化乱数Ｅ（Ｒ２）と、自身がステップＳ９２生成した暗号化乱数Ｅ'（Ｒ２）とが等しいかどうかを判定する。
【０２７１】
ステップＳ９３において、暗号化乱数Ｅ（Ｒ２）とＥ'（Ｒ２）とが等しくないと判定された場合、即ち、接続機器で採用されている暗号化アルゴリズム（必要に応じて、暗号化に用いられる秘密鍵も含む）が、ＣＰＵ１４９で採用されている暗号化アルゴリズムと異なるものである場合、ステップＳ８３に進み、ＣＰＵ１４９は、上述したように、接続機器が正当なIEEE1394機器でないとして、動作モードを単体モードに設定して、リターンする。
【０２７２】
また、ステップＳ９３において、暗号化乱数Ｅ（Ｒ２）とＥ'（Ｒ２）とが等しいと判定された場合、即ち、接続機器で採用されている暗号化アルゴリズムが、ＣＰＵ１４９で採用されている暗号化アルゴリズムと等しいものであり、これにより、接続機器が正当なIEEE1394機器であることの認証が成功した場合、ステップＳ９４に進み、ＣＰＵ１４９は、接続機器としての親機１が、図２５のステップＳ６３で機能情報要求コマンドとともに送信してくる機器IDおよび機能情報を、IEEE1394インタフェース１５３を介して受信し、ＥＥＰＲＯＭ１５０に記憶させる。
【０２７３】
そして、ステップＳ９５に進み、ＣＰＵ１４９は、IEEE1394インタフェース１５３を制御することにより、ステップＳ９４で受信した接続機器からの機能情報要求コマンドに対応して、自身の機器IDと機能情報を、接続機器に送信させ、ステップＳ９６に進む。
【０２７４】
ここで、子機２では、機能IDと機能情報は、図２５で説明した親機１における場合と同様に、ＥＥＰＲＯＭ１５０や、図１５に示したコンフィギレーションＲＯＭのvendor_dependent_informationなどに記憶させておくことができる。
【０２７５】
ステップＳ９６では、ＣＰＵ１４９は、ＥＥＰＲＯＭ１５０に記憶された機能情報を参照することにより、接続機器が親機であるかどうかを判定する。ステップＳ９６において、接続機器が親機であると判定された場合、即ち、接続機器が親機であることの認証に成功した場合、ステップＳ９７に進み、ＣＰＵ１４９は、動作モードを、図２５のステップＳ６８で説明した全画面表示可能モードに設定して、リターンする。
【０２７６】
一方、ステップＳ９６において、接続機器が親機でないと判定された場合、即ち、接続機器が親機であることの認証に失敗した場合、ステップＳ９８に進み、ＣＰＵ１４９は、動作モードを、接続機器との間で、既定のAV/Cコマンドセットのやりとりは可能であるが、全画面表示を行うための制御コマンドのやりとりはできない通常機能コマンド受付／提供モードに設定して、リターンする。
【０２７７】
即ち、この場合、接続機器は、親機でないため、そのような接続機器が、子機２に接続されても、全画面表示の機能は提供されない。従って、子機２に、他の子機が接続されただけでは、全画面表示の機能は提供されない。但し、この場合、接続機器は、正当なIEEE1394機器ではあることから、子機２と接続機器との間における既定のAV/Cコマンドセットのやりとりは許可される。従って、この場合、子機２と接続機器（他の子機を含む）については、他方から、既定のAV/Cコマンドセットによって制御することは可能である。
【０２７８】
次に、図２２のスケーラブルＴＶシステム１６１を構成するテレビジョン受像機としての親機１と子機２で、図２５と図２７で説明した認証処理がそれぞれ成功し、親機１および子機２が、その動作モードを、全画面表示可能モードとした場合、スケーラブルＴＶシステム１６１では、図２８に示すような全画面表示が可能となる。
【０２７９】
即ち、例えば、いま、図２８Ａに示すように、親機１に画像データが表示されている場合において、リモコン１５（または３５）が操作されることにより、全画面表示が指令されると、スケーラブルＴＶシステム１６１では、図２８Ｂに示すように、そのスケーラブルＴＶシステム１６１を構成するテレビジョン受像機の全表示画面に亘って、親機１に表示されていた画像データが表示される。
【０２８０】
具体的には、親機１において、例えば、ある番組の画像と音声が出力される（画像が表示され、音声が出力される）が出力されている場合に、ユーザが、リモコン１５（図７）のメニューボタンスイッチ５４をオンとするように操作すると、リモコン１５において、ユーザの操作に対応する赤外線が出射される。この赤外線は、親機１（図１０）のＩＲ受信部１３５で受信され、親機１のＣＲＴ１１には、メニュー画面が表示される。このメニュー画面には、例えば、全画面表示を表すアイコン（以下、適宜、全画面表示アイコンという）が表示されるようになっており、ユーザが、この全画面表示アイコンを、リモコン１５を操作してクリックすることにより、親機１と子機２それぞれにおいて、全画面表示が行われる。
【０２８１】
即ち、この場合、親機１（図１０）のＣＰＵ１２９は、ＣＲＴ１１に表示される画像データの領域のうち、自身が表示すべき画像データの領域と、各子機２ijが表示すべき画像データの領域を求める。さらに、親機１のＣＰＵ１２９は、IEEE1394インタフェース１３３を制御することにより、各子機２ijに対して、その子機２ijで表示すべき画像データを、全画面表示を指令する全画面表示コマンドとともに送信する。そして、親機１のＣＰＵ１２９は、自身が表示すべき領域の画像データを、例えば補間等することによって、ＣＲＴ１１の全体に表示される大きさの画像データに変換し、セレクタ１２８およびＮＴＳＣエンコーダ１２８を介して、ＣＲＴ１１に供給して表示させる。各子機２ijでも、親機１からの全画面表示コマンドにしたがい、親機１における場合と同様の処理が行われ、これにより、ＣＲＴ３１の全体に、親機１からの画像データを表示する。
【０２８２】
以上により、スケーラブルＴＶシステム１６１を構成するテレビジョン受像機では、図２８Ｂに示したように、その表示画面の全体に亘って、画像データが表示される。
【０２８３】
ここで、いま、スケーラブルＴＶシステム１６１を構成するテレビジョン受像機の表示画面の全体に亘って表示される画像データを、全画面画像データというものとすると、スケーラブルＴＶシステム１６１では、全画面画像データの一部が表示されない。即ち、スケーラブルＴＶシステム１６１においては、実際には、そのスケーラブルＴＶシステム１６１を構成するテレビジョン受像機の筐体が存在するから、隣接するテレビジョン受像機どうしの、その隣接部分は筐体であり、その部分には、画像は表示されない。つまり、図２８では、図を簡略化するため、隣接するテレビジョン受像機どうしの間に存在する筐体部分を省略しているが、実際には、隣接するテレビジョン受像機どうしの間には、筐体が存在し、従って、全画面画像データは、僅かではあるが、テレビジョン受像機の筐体部分で表示されず、いわば区切られたものとなるという問題点がある。
【０２８４】
しかしながら、人間の視覚には、画像の一部に、その視聴を妨げる微小幅のラインがあっても、そのラインで隠されている部分の画像を、その周辺の画像から補間する補間作用があるため、上述した問題点は、全画面画像データを視聴する上で、それほど大きな問題とはならない。
【０２８５】
なお、以上のようにして、全画面画像データが表示された後、例えば、ユーザが、リモコン１５（図７）を操作することにより、ＣＲＴ１１にメニュー画面を表示させ、さらに、そのメニュー画面における全画面表示アイコンを再クリックし、これにより、そのリモコン１５の操作に対応するコマンドとしての全画面表示の終了を指令する全画面表示終了コマンドの赤外線が、リモコン１５から出射され、ＩＲ受信部１３５で受信されてＣＰＵ１２９に供給された場合、親機１の表示は、図２８Ａに示したように、通常サイズの表示に戻る。また、この場合、親機１から各子機２ijに対しては、IEEE1394インタフェース１３３を介して、全画面表示終了コマンドが送信され、これにより、各子機２ijの表示も元に戻る。
【０２８６】
ここで、本実施の形態では、図２５および図２７で説明した認証が成功した場合にのみ、全画面表示の機能を提供するようにしたが、認証が失敗した場合であっても、全画面表示の機能を提供するようにすることが可能である。
【０２８７】
次に、親機１のセキュリティシステム部１３７（図１０）が、ユーザに、緊急事態の発生を警告するために行う処理について説明する。
【０２８８】
なお、子機２のセキュリティシステム部１５７（図１１）でも、ユーザに、緊急事態の発生を警告させるための処理が行われるが、その処理は、親機１のセキュリティシステム部１３７における場合と同様であるため、その説明は省略する。
【０２８９】
また、ユーザに、緊急事態の発生を警告するために行う処理は、親機１または子機２としてのテレビジョン受像機単独で行うことが可能であるが、全画面表示の機能を提供する場合と同様に、図２５および図２７で説明した認証が成功した場合にのみ行うようにすることも可能である。
【０２９０】
まず、図２９は、図１０におけるセキュリティシステム部１３７のデータ処理部１３７Ｃの構成例を示している。
【０２９１】
セキュリティシステム部１３７において、無線インタフェース１３７Ｂで受信されたカメラ１６２からの画像データと音声データは、それぞれ、画像処理部１９１と音声処理部１９２に供給される。
【０２９２】
画像処理部１９１は、無線インタフェース１３７Ｂから供給される画像データの特徴量を、例えば、フレームまたはフィールドごとに検出し、変動算出部１９４に供給する。
【０２９３】
即ち、画像処理部１９１は、フレームメモリ２０１、差分演算部２０２、および差分メモリ２０３で構成されている。フレームメモリ２０１は、メモリコントローラ１９３の制御にしたがい、無線インタフェース１３７Ｂから供給される画像データを一時記憶する。差分演算部２０２は、フレームメモリ２０１に記憶された画像データの時系列のフレームを、順次、注目フレームとして、その注目フレームと、その注目フレームの１フレーム前のフレーム（以下、適宜、前フレームという）の画像データどうしの差分を演算し、その差分値でなる差分画像データを、差分メモリ２０３に供給する。差分メモリ２０３は、差分演算部２０２から供給される、フレーム単位の差分画像データを一時記憶する。
【０２９４】
音声処理部１９２は、無線インタフェース１３７Ｂから供給される音声データの特徴量を、所定のフレームごとに検出し、変動算出部１９４に供給する。
【０２９５】
即ち、音声処理部１９２は、リングバッファ２０６、積分演算部２０７、および積分メモリ２０８で構成されている。リングバッファ２０６は、メモリコントローラ１９３の制御にしたがい、無線インタフェース１３７Ｂから供給される音声データを一時記憶する。積分演算部２０７は、リングバッファ２０６に記憶された時系列の音声データの所定数のサンプルでなるフレームを、順次、注目フレームとして、その注目フレームを構成する音声データのサンプルを積分し（加算し）、その積分値を、積分メモリ２０８に供給する。積分メモリ２０８は、積分演算部２０７から供給される、フレーム単位の音声データの積分値を一時記憶する。
【０２９６】
なお、積分演算部２０７には、フレームごとの音声データの積分値を演算させる他、例えば、フレームを構成する音声データの所定の１サンプルを抽出させるようにすることも可能である。
【０２９７】
メモリコントローラ１９３は、画像処理部１９１のフレームメモリ２０１と、音声処理部１９２のリングバッファ２０６における書き込みアドレスおよび読み出しアドレスを制御する。
【０２９８】
変動算出部１９４は、画像処理部１９１の差分メモリ２０３から、フレームごとの差分画像データを、そのフレームの画像データの特徴量として読み出すとともに、音声処理部１９２の積分メモリ２０８から、フレームごとの積分値を、そのフレームの音声データの特徴量として読み出す。さらに、変動算出部１９４は、画像データの特徴量の変動成分と、音声データの特徴量の変動成分とを求め、これらを、変動情報として、後段の警告処理部１３７Ｄ（図１０）に供給する。
【０２９９】
以上のように構成されるデータ処理部１３７Ｃでは、無線インターフェース１３７Ｂから供給される画像データと音声データを処理する画像データ処理と音声データ処理が行われる。
【０３００】
そこで、図３０のフローチャートを参照して、データ処理部１３７Ｃが行う画像データ処理および音声データ処理について説明する。
【０３０１】
まず、図３０Ａのフローチャートを参照して、画像データ処理について説明する。
【０３０２】
画像データ処理では、まず最初に、ステップＳ１０１において、フレームメモリ２０１が、無線インタフェース１３７Ｂから供給される１フレームの画像データを記憶し、ステップＳ１０２に進む。ステップＳ１０２では、差分演算部２０２が、直前のステップＳ１０１の処理でフレームメモリ２０１に記憶された画像データのフレームを注目フレームとして、その注目フレームの画像データを読み出すとともに、前回のステップＳ１０１の処理でフレームメモリ２０１に記憶された前フレームの画像データを読み出す。さらに、ステップＳ１０２では、差分演算部２０２は、注目フレームの画像データを構成する各画素の画素値から、前フレームの画像データを構成する対応する画素の画素値を減算し、さらに、その減算値の絶対値をとることで、その絶対値を画素値とする差分画像データを生成する。この注目フレームの差分画像データは、差分メモリ２０３に供給されて記憶される。
【０３０３】
その後、ステップＳ１０３に進み、変動算出部１９４は、差分メモリ２０３から、注目フレームの差分画像データを読み出し、２値化する。即ち、変動算出部１９４は、差分画像データを構成する各画素の画素値を所定の閾値と比較する。さらに、変動算出部１９４は、画素値が、所定の閾値よりも大（または以上）である場合、その画素値を、例えば１とし、画素値が、所定の閾値以下（または未満）である場合、その画素値を、例えば０として、ステップＳ１０４に進む。
【０３０４】
ステップＳ１０４では、変動算出部１９４は、注目フレームについての、上述のような０と１の画素値でなる画像データ（以下、適宜、２値化画像データという）における所定の画素数をカウントする。即ち、変動算出部１９４は、２値化画像データにおける、０と１のうちの、例えば１の画素値の画素の数をカウントし、これを、注目フレームの画像データの変動情報として、警告処理部２３７Ｄに出力する。
【０３０５】
その後、無線インタフェース１３７Ｂから、次のフレームの画像データが供給されるのを待って、ステップＳ１０１に戻り、以下、同様の処理が繰り返される。
【０３０６】
次に、図３０Ｂのフローチャートを参照して、音声データ処理について説明する。
【０３０７】
音声データ処理では、まず最初に、ステップＳ１１１において、リングバッファ２０６が、無線インタフェース１３７Ｂから供給される１フレーム分の音声データを記憶し、ステップＳ１１２に進む。ステップＳ１１２では、積分演算部２０７が、直前のステップＳ１１１の処理でリングバッファ２０６に記憶された音声データのフレームを注目フレームとして、その注目フレームの音声データを読み出し、その注目フレームの音声データのサンプルの総和、即ち、積分値を演算する。この音声データの積分値は、積分メモリ２０８に供給されて記憶される。
【０３０８】
その後、ステップＳ１１３に進み、変動算出部１９４は、積分メモリ２０８から、注目フレームとその１フレーム前のフレーム（前フレーム）の音声データの積分値を読み出し、それらの差分を求める。そして、変動算出部１９４は、その差分値を、注目フレームの音声データの変動情報として、警告処理部２３７Ｄに出力する。
【０３０９】
その後、無線インタフェース１３７Ｂから、次のフレームの音声データが供給されるのを待って、ステップＳ１１１に戻り、以下、同様の処理が繰り返される。
【０３１０】
次に、図３１は、図１０の警告処理部１３７Ｄの構成例を示している。
【０３１１】
変動情報記憶部２１１は、図２９および図３０で説明したようにして、データ処理部１３７Ｃから供給される画像データと音声データの変動情報を、一時記憶する。
【０３１２】
変動情報解析部２１２は、変動情報記憶部２１１に記憶された画像データと音声データの変動情報を解析し、これにより、画像データと音声データの特徴量の時間的変動成分を求め、異常判定部２１３に供給する。
【０３１３】
異常判定部２１３は、変動情報解析部２１２から供給される画像データや音声データの特徴量の時間的変動成分が、異常条件記憶部２１４に記憶された異常条件を満たすかどうかを判定し、その判定結果を、警告処理要求部２１５に供給する。
【０３１４】
警告処理要求部２１５は、異常判定部２１３からの判定結果に基づき、ユーザに、緊急事態（異常）の発生を警告する警告処理を行うことを、セキュリティコントローラ１３７（図１０）に要求する。
【０３１５】
異常条件記憶部２１４は、異常判定部２１３が、異常が発生したと判定するために、画像データや音声データの特徴量の時間的変動成分が満たすべき異常条件を記憶する。
【０３１６】
なお、異常条件記憶部２１４には、異常条件を、あらかじめ設定しておくようにすることもできる他、ユーザが設定した異常条件を記憶させるようにすることも可能である。即ち、ユーザは、例えば、リモコン１５を操作することにより、異常条件を入力することが可能であり、リモコン１５を操作することにより入力された異常条件は、ＩＲ受信部１３５、ＣＰＵ１２９、およびセキュリティコントローラ１３７Ａを介して、警告処理部１３７Ｄの異常条件記憶部２１４に供給されて記憶される。
【０３１７】
以上のように構成される警告処理部１３７Ｄでは、画像データまたは音声データの変動情報に基づいて、異常が発生したかどうかを判定し、異常が発生した場合には、ユーザに、その警告を行う異常判定／警告処理が行われる。
【０３１８】
そこで、図３２のフローチャートを参照して、警告処理部１３７Ｄが行う異常判定／警告処理について説明する。
【０３１９】
変動情報記憶部２１１には、その前段のデータ処理部１３７Ｃが出力する画像データと音声データの変動情報が順次供給され、変動情報記憶部２１１では、その変動情報が一時記憶される。
【０３２０】
そして、変動情報解析部２１２は、ステップＳ１２１において、変動情報記憶部２１２に記憶された画像データと音声データの変動情報を解析し、これにより、画像データと音声データの特徴量の時間的変動成分を求め、異常判定部２１３に供給して、ステップＳ１２２に進む。
【０３２１】
ステップＳ１２２では、異常判定部２１３は、変動情報解析部２１２から供給される画像データまたは音声データの特徴量の時間的変動成分が、異常条件記憶部２１４に記憶された異常条件を満たすかどうかを判定する。
【０３２２】
ステップＳ１２２において、変動情報解析部２１２から供給される画像データまたは音声データの特徴量の時間的変動成分が異常条件を満たさないと判定された場合、次の画像データと音声データの変動情報が、変動情報記憶部２１１に記憶されるのを待って、ステップＳ１２１に戻る。
【０３２３】
また、ステップＳ１２２において、変動情報解析部２１２から供給される画像データまたは音声データの特徴量の時間的変動成分が異常条件を満たすと判定された場合、異常判定部２１３は、異常条件が満たされる旨の判定結果を、警告処理要求部２１５に供給して、ステップＳ１２３に進む。
【０３２４】
ステップＳ１２３では、警告処理要求部２１５は、異常判定部２１３からの、異常条件が満たされる旨の判定結果に対応して、ユーザに、緊急事態の発生を警告する警告処理を行うことを、セキュリティコントローラ１３７（図１０）に要求する。そして、次の画像データと音声データの変動情報が、変動情報記憶部２１１に記憶されるのを待って、ステップＳ１２１に戻る。
【０３２５】
次に、図３３および図３４を参照して、異常判定部２１３の処理について、さらに説明する。
【０３２６】
異常判定部２１３では、画像データや音声データの変動情報が、例えば、いままでと異なる傾向で変化した場合に、異常条件が満たされる旨の判定が行われるようになっている。
【０３２７】
即ち、変動情報解析部２１２は、例えば、それほど大きく変動していなかった変動情報が、突然大きな変動を生じた場合や、ある程度の変動していた変動情報が、突然変動しなくなった場合に、異常条件が満たされる旨の判定を行う。
【０３２８】
ここで、それほど大きく変動していなかった変動情報が、突然大きな変動を生じたかどうかの判定は、例えば、変動情報解析部２１２において、変動情報を微分し（時系列に連続する変動情報の隣接するものどうしの差分を演算し）、異常判定部２１３において、その微分値の絶対値が、所定の閾値以上であるかどうかを判定することによって行うことが可能である。なお、この場合、所定の閾値が、異常条件として、異常条件記憶部２１４に記憶される。
【０３２９】
また、ある程度の変動していた変動情報が、突然変動しなくなったかどうかの判定は、例えば、異常判定部２１３において、変動情報が０に近い値である時間が、所定の時間以上継続したかどうかを判定することによって行うことができる。なお、この場合、所定の時間が、異常条件として、異常条件記憶部２１４に記憶される。
【０３３０】
図３３は、カメラ１６２で撮影される画像データと、その画像データの変動情報の例を示している。
【０３３１】
例えば、図３３Ａに示すように、高齢者が部屋を歩いている様子が、カメラ１６２で撮影されている場合、画像データの変動情報は、図３３Ｂに示すように、緩やかに変動するものとなる。そして、例えば、図３３Ｃに示すように、部屋の中を歩いていた高齢者が突然倒れた様子が、カメラ１６２で撮影された場合、画像データの変動情報は、図３３Ｄに示すように、大きく変化し、その後、ほとんど０になる。
【０３３２】
従って、画像データの変動情報が、突然、所定の閾値を越えたこと、即ち、画像データの変動情報の微分値が、所定の閾値以上となったことを、異常条件とすることにより、高齢者が倒れたという異常状態を検知することができる。このような異常状態を、ユーザに警告することにより、倒れた高齢者の介護（救助）を迅速に行うことが可能となる。
【０３３３】
なお、図３３Ｃに示したように、人が突然倒れた場合には、画像データの変動情報が、突然、所定の閾値を越え、その直後、０に近い値となる。従って、画像データの変動情報の微分値が、所定の閾値以上となり、かつ、その後、画像データの変動情報が０に近い値となり、その０に近い値が所定の時間以上継続したことを、異常条件とすることによっても、人が倒れたという異常状態を検知することができる。
【０３３４】
次に、図３４は、カメラ１６２で撮影される画像データおよび音声データと、その画像データおよび音声データの変動情報の例を示している。
【０３３５】
例えば、図３４Ａに示すように、乳児が部屋の中を這い這いしている様子が、カメラ１６２で撮影されている場合、画像データと音声データの変動情報は、図３４Ｂと図３４Ｃにそれぞれ示すように、緩やかに変動するものとなる。そして、例えば、図３３Ｄに示すように、部屋の中を這い這いしていた乳児が寝てしまった様子が、カメラ１６２で撮影された場合、画像データおよび音声データの変動情報は、図３４Ｅと図３４Ｆにそれぞれ示すように、ほとんど０に近い値となって、あまり変化しなくなる。
【０３３６】
従って、この場合、画像データおよび音声データの変動情報が、０に近い値となり、その０に近い値が所定時間以上継続したことを、異常条件とすることにより、乳児が寝てしまったという異常状態を検知することができる。このような異常状態を、ユーザに警告することにより、乳児に毛布をかける等の処置を、迅速にとることができる。
【０３３７】
また、図３４Ｇに示すように、寝ている幼児が、突然起きて泣き出してしまった場合、カメラ１６２で撮影された画像データと音声データの変動情報は、図３４Ｈと図３４Ｉにそれぞれ示すようなものとなる。
【０３３８】
即ち、この場合、泣き出した幼児は、寝ている場合よりは動くものの、這い這いしている場合よりは動かないため、画像データの変動情報は、図３４Ｈに示したように、それほど大きく変化しない。
【０３３９】
しかしながら、寝ている幼児が泣き出した場合には、間欠的に泣き声をだすため、音声データの変動情報は、図３４Ｉに示したように、突然大きな値となり、その大きな値となっている状態が所定の時間継続する。
【０３４０】
従って、この場合、音声データの変動情報が、急激に、大きな値に変化し、その大きな値となっている状態が所定の時間継続したことを、異常条件とすることにより、幼児が起きて泣き出したという異常状態を検知することができる。このような異常状態を、ユーザに警告することにより、幼児が起きたことを、迅速に知らせることができる。
【０３４１】
次に、図３１および図３２で説明したように、警告処理部１３７Ｄでは、異常条件が満たされる異常状態が発生した場合には、ユーザに、緊急事態の発生を警告する警告処理を行うことを、セキュリティコントローラ１３７Ａ（図１０）に要求するが、この警告処理の要求（警告処理要求）を受けた場合に、セキュリティコントローラ１３７Ａが行う警告処理について、図３５および図３６を参照して説明する。
【０３４２】
セキュリティコントローラ１３７Ａは、警告処理要求を受信すると、例えば、セレクタ１２７に、無線インタフェース１３７Ａが出力する画像データと音声データを選択させるように、ＣＰＵ１２９に要求する。
【０３４３】
これにより、セレクタ１２７は、無線インタフェース１３７Ａが出力する画像データと音声データを選択し、ＮＴＳＣエンコーダ１２８とアンプ１３８にそれぞれ供給する。ＮＴＳＣエンコーダ１２８に供給された画像データは、ＣＲＴ１１に供給されて表示され、アンプ１３８に供給された音声データは、スピーカユニット１２Ｌおよび１２Ｒに供給されて出力される。
【０３４４】
その結果、ＣＲＴ１１では、無線インタフェース１３７Ｂで受信されたカメラ１６２からの画像データが表示され、スピーカ１２Ｌおよび１２Ｒからは、無線インタフェース１３７Ｂで受信されたカメラ１６２からの音声データが出力される。
【０３４５】
即ち、例えば、いま、図３５Ａに示すように、スケーラブルＴＶシステム１６１を構成する親機１と各子機２ijにおいて、所定のチャンネルのテレビジョン放送番組としての画像データと音声データが出力されている場合において、子機２13の警告処理１５７Ｄからセキュリティコントローラ１５７Ａに対して、警告処理要求が出力されたとすると、子機２13のＣＲＴ３１の表示が、図３５Ｂに示すように、そこで受信されていたテレビジョン放送番組としての画像データから、その子機２13に画像データおよび音声データを送信しているカメラ１６２からの画像データに切り換えられる。ここで、図３５の実施の形態では、子機２13のＣＲＴ３１の表示が、テレビジョン放送番組としての画像データから、カメラ１６２からの、人が倒れている状態を表示している画像データに切り換えられている。
【０３４６】
さらに、この場合、子機２13では、カメラ１６２からの音声データが、スピーカユニット３２Ｌおよび３２Ｒ（図１１）から出力される。
【０３４７】
この場合、ユーザは、テレビジョン放送番組を視聴していても、子機２13に、画像データおよび音声データを送信しているカメラ１６２で撮像されている環境において、何らかの異常が発生したことを即座に認識することができる。
【０３４８】
なお、スピーカユニット３２Ｌおよび３２Ｒからは、カメラ１６２からの音声データに代えて、図３５Ｂに示すように、所定の警告音（ピピピピピ・・・）を出力させるようにすることが可能である。
【０３４９】
また、上述の場合には、子機２13のＣＲＴ３１の表示を、図３５Ｂに示したように、そこで受信されていたテレビジョン放送番組としての画像データから、カメラ１６２からの画像データに切り換えるようにしたが、その他、例えば、子機２13の電源がオフになっている場合には、子機２13の電源をオンにし、さらに、カメラ１６２からの画像データを、そのＣＲＴ３１に表示するようにすることが可能である。
【０３５０】
さらに、スケーラブルＴＶシステム１６１では、異常があった環境で撮影を行っているカメラ１６２からの画像データおよび音声データを受信しているテレビジョン受像機に、そのカメラ１６２からの画像データを表示させる他、図３６に示すように、そのカメラ１６２からの画像データを全画面表示するようにすることが可能である。
【０３５１】
即ち、例えば、いま、図３６Ａに示すように、スケーラブルＴＶシステム１６１を構成する親機１と各子機２ijにおいて、所定のチャンネルのテレビジョン放送番組としての画像データと音声データが出力されている場合において、スケーラブルＴＶシステム１６１を構成する任意のテレビジョン受像機で、警告処理要求が出力されたときには、スケーラブルＴＶシステム１６１を構成するすべてのテレビジョン受像機の表示を切り替え、これにより、図３６Ｂに示すように、警告処理要求が出力されたテレビジョン受像機が受信しているカメラ１６２からの画像データを、全画面表示させることができる。
【０３５２】
この場合も、ユーザは、何らかの異常が発生したことを即座に認識することができる。
【０３５３】
なお、全画面表示が行われる場合、いずれのカメラ１６２で撮像が行われている環境で、異常が発生しているのかが分からないため、異常が発生している環境を撮像しているカメラ１６２からの画像データと音声データを受信している、スケーラブルＴＶシステム１６１のテレビジョン受像機では、その表示画面の一部または全部に、異常が発生している旨のメッセージ等を表示するようにするのが望ましい。
【０３５４】
また、全画面表示は、例えば、緊急度の高い異常が発生した場合に行うようにすることが可能である。即ち、緊急度が高くない異常が発生した場合には、図３５で説明したように、その異常が発生した環境の撮影を行っているカメラ１６２からの画像データおよび音声データを受信しているテレビジョン受像機の表示のみを切り替え、緊急度が高い異常が発生した場合には、スケーラブルＴＶシステム１６１を構成するテレビジョン受像機すべての表示を切り替え、図３６に示したように全画面表示を行うようにすることが可能である。全画面表示では、画像が大きく表示されるため、ユーザに緊急度の高い異常が発生したことを認識させることができる。
【０３５５】
また、異常の緊急度によって、スケーラブルＴＶシステム１６１で表示する、その異常が発生した環境の撮影を行っているカメラ１６２からの画像データ（以下、適宜、緊急画像データという）の大きさを変えることが可能である。即ち、緊急度が低の場合には、スケーラブルＴＶシステム１６１を構成する１のテレビジョン受像機の表示画面の大きさで、緊急度が中の場合には、隣接する２×２のテレビジョン受像機の表示画面の大きさで、緊急度が高の場合には、隣接する３×３のテレビジョン受像機の表示画面の大きさで、緊急画像データを表示することが可能である。
【０３５６】
ここで、緊急度の高低は、異常条件とともに、異常条件記憶部２１４（図３１）に記憶させておくことができ、この場合、満たされた異常条件によって、緊急度の高低を認識することが可能となる。
【０３５７】
次に、図３７は、スケーラブルＴＶシステム１６１を構成する親機１としてのテレビジョン受像機の他の構成例を示している。なお、図中、図１０における場合と対応する部分については、同一の符号を付してあり、以下では、その説明は、適宜省略する。即ち、図３７の親機１は、警告表示部１３９が新たに設けられている他は、図１０における場合と同様に構成されている。
【０３５８】
警告表示部１３９は、ＣＰＵ１２９の制御にしたがい、点灯または点滅するようになっている。
【０３５９】
なお、図１１に示した子機２としてのテレビジョン受像機も、図３７に示した親機１における場合と同様に、警告表示部を設けて構成することができる。
【０３６０】
親機１に警告表示部１３９を設けるとともに、子機２にも警告表示部を設けて、スケーラブルＴＶシステム１６１を構成する場合には、図３８に示すように、異常が発生した場合に、警告表示部１３９を点灯または点滅させることができる。
【０３６１】
即ち、例えば、いま、図３８Ａに示すように、スケーラブルＴＶシステム１６１を構成する親機１と各子機２ijにおいて、所定のチャンネルのテレビジョン放送番組としての画像データと音声データが出力されている場合において、親機１の警告処理１３７Ｄからセキュリティコントローラ１３７Ａに対して、警告処理要求が出力されたとすると、親機１のＣＲＴ１１の表示が、図３８Ｂに示すように、そこで受信されていたテレビジョン放送番組としての画像データから、親機１に画像データおよび音声データを送信しているカメラ１６２からの画像データ（緊急画像データ）に切り換えられる。
【０３６２】
さらに、セキュリティコントローラ１３７Ａは、警告表示部１３９の点灯または点滅を、ＣＰＵ１２９に要求し、これにより、通常は消灯している警告表示部１３９が、図３８Ｂに示すように点灯または点滅する。
【０３６３】
この場合も、ユーザは、テレビジョン放送番組を視聴していても、親機１に、画像データおよび音声データを送信しているカメラ１６２で撮像されている環境において、何らかの異常が発生したことを即座に認識することができる。
【０３６４】
なお、緊急度が低い場合には、緊急画像データへの表示の切り換えを行わずに、警告表示部１３９のみを点灯または点滅させたり、あるいは、アラーム音の出力のみを行うようにすることが可能である。
【０３６５】
次に、図３９は、スケーラブルＴＶシステム１６１を構成する親機１としてのテレビジョン受像機の他の構成例を示している。なお、図中、図１０における場合と対応する部分については、同一の符号を付してあり、以下では、その説明は、適宜省略する。
【０３６６】
即ち、図１０の親機１は、ディジタル放送を受信するテレビジョン受像機であるのに対して、図３９の親機１は、アナログ放送を受信するテレビジョン受像機となっている。
【０３６７】
チューナ２２１は、アナログのテレビジョン放送信号の所定のチャンネルを検波、復調する。そして、チューナ２２１は、復調によって得られる画像データを、Ｙ／Ｃ分離部２２２に供給し、音声データを、セレクタ１２７に供給する。
【０３６８】
Ｙ／Ｃ分離部２２２は、チューナ２２１の出力から、輝度信号Ｙと色差信号Ｃとを分離し、セレクタ１２７に供給する。
【０３６９】
マトリクス回路２２３は、セレクタ１２７から供給される画像データの色空間を必要に応じて変換し、ＣＲＴ１１に供給する。
【０３７０】
以上のように構成される、アナログ放送を受信するテレビジョン受像機であっても、スケーラブルＴＶシステム１６１を構成することが可能である。
【０３７１】
なお、子機２としてのテレビジョン受像機も、図３９に示した親機１としてのテレビジョン受像機における場合と同様に、アナログ放送を受信するテレビジョン受像機として構成することが可能である。
【０３７２】
次に、上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０３７３】
そこで、図４０は、上述した一連の処理を実行するプログラムがインストールされるコンピュータの一実施の形態の構成例を示している。
【０３７４】
プログラムは、コンピュータに内蔵されている記録媒体としてのハードディスク３０５やＲＯＭ３０３に予め記録しておくことができる。
【０３７５】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体３１１に、一時的あるいは永続的に格納（記録）しておくことができる。このようなリムーバブル記録媒体３１１は、いわゆるパッケージソフトウエアとして提供することができる。
【０３７６】
なお、プログラムは、上述したようなリムーバブル記録媒体３１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部３０８で受信し、内蔵するハードディスク３０５にインストールすることができる。
【０３７７】
コンピュータは、CPU(Central Processing Unit)３０２を内蔵している。CPU３０２には、バス３０１を介して、入出力インタフェース３１０が接続されており、CPU３０２は、入出力インタフェース３１０を介して、ユーザによって、キーボードや、マウス、マイク等で構成される入力部３０７が操作等されることにより指令が入力されると、それにしたがって、ROM(Read Only Memory)３０３に格納されているプログラムを実行する。あるいは、また、CPU３０２は、ハードディスク３０５に格納されているプログラム、衛星若しくはネットワークから転送され、通信部３０８で受信されてハードディスク３０５にインストールされたプログラム、またはドライブ３０９に装着されたリムーバブル記録媒体３１１から読み出されてハードディスク３０５にインストールされたプログラムを、RAM(Random Access Memory)３０４にロードして実行する。これにより、CPU３０２は、上述したフローチャートにしたがった処理、あるいは上述したブロック図の構成により行われる処理を行う。そして、CPU３０２は、その処理結果を、必要に応じて、例えば、入出力インタフェース３１０を介して、LCD(Liquid CryStal Display)やスピーカ等で構成される出力部３０６から出力、あるいは、通信部３０８から送信、さらには、ハードディスク３０５に記録等させる。
【０３７８】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０３７９】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０３８０】
なお、スケーラブルＴＶシステムを構成するテレビジョン受像機は、例えば、そのテレビジョン受像機が親機または子機であるのか、さらには、子機である場合には、何台目の子機であるのかによって、販売価格に差を設けるようにすることができる。
【０３８１】
即ち、スケーラブルＴＶシステムでは、上述したように、親機が存在しなければ、全画面表示の機能が提供されないため、親機の価値は高く、従って、販売価格を高く設定するようにすることができる。
【０３８２】
また、ユーザは、親機の購入後は、子機を随時追加購入していくこととなると予想されるが、最初の数台の子機については、例えば、親機よりも低価格ではなるが、一般のテレビジョン受像機よりは高価格の販売価格を設定するようにすることができる。そして、その後に購入される子機については、さらに低価格の販売価格を設定するようにすることができる。
【０３８３】
なお、スケーラブルＴＶシステムを構成する親機となるテレビジョン受像機は、例えば、一般的なディジタルのテレビジョン受像機に、セキュリティシステム部１３７を追加するとともに、ＣＰＵ１２９に実行させるプログラムを変更することで構成することが可能である。従って、スケーラブルＴＶシステムを構成する親機となるテレビジョン受像機は、一般的なディジタルのテレビジョン受像機を利用して、比較的容易に製造することができるので、スケーラブルＴＶシステムが提供する、上述したような全画面表示の機能および警告を行う機能を考慮すれば、そのコストメリット（コストパフォーマンス）は高いと言うことができる。この点については、子機としてのテレビジョン受像機についても同様である。
【０３８４】
また、本発明は、チューナを内蔵する表示装置であるテレビジョン受像機の他、チューナを内蔵せずに、外部からの画像および音声を出力する表示装置にも適用可能である。
【０３８５】
さらに、図２２におけるセキュリティシステムにおいて、カメラ１６２から、スケーラブルＴＶシステム１６１を構成するテレビジョン受像機への画像データおよび音声データの送信は、無線ではなく、有線（例えば、IEEE１３９４やUSB（Universal Serial Bus）による通信など）によって行うことも可能である。
【０３８６】
また、カメラ１６２としては、セキュリティシステム用に用意されたものの他、例えば、既に設定されている、いわゆるドアホンのカメラや監視カメラなどを採用することが可能である。
【０３８７】
さらに、セキュリティシステムは、乳幼児や高齢者の監視の他、お風呂のお湯はりや、沸騰すると警笛の鳴るやかんでの湯沸かしの監視などに用いることが可能である。
【０３８８】
また、本実施の形態では、一般的なカメラ１６２が撮影する画像データを対象に処理を行うようにしたが、その他、例えば、カメラ１６２として、熱を感知するカメラを採用し、そのカメラから得られる温度分布を表した画像データを対象に処理を行うようにすることも可能である。
【０３８９】
さらに、赤外線を感知して、温度変化を監視し、警告を行うようにすることも可能である。
【図面の簡単な説明】
【０３９０】
【図１】本発明を適用したスケーラブルＴＶシステムの一実施の形態の構成例を示す斜視図である。
【図２】親機１の外観構成例を示す斜視図である。
【図３】親機１の外観構成例を示す６面図である。
【図４】子機２の外観構成例を示す斜視図である。
【図５】子機２の外観構成例を示す６面図である。
【図６】スケーラブルＴＶシステムを構成する親機１および子機２を収納する専用ラックの外観構成例を示す斜視図である。
【図７】リモコン１５の外観構成例を示す平面図である。
【図８】リモコン３５の外観構成例を示す平面図である。
【図９】リモコン１５の他の外観構成例を示す平面図である。
【図１０】親機１の電気的構成例を示すブロック図である。
【図１１】子機２の電気的構成例を示すブロック図である。
【図１２】IEEE1394通信プロトコルのレイヤ構造を示す図である。
【図１３】CSRアーキテクチャのアドレス空間を示す図である。
【図１４】CSRのオフセットアドレス、名前、および働きを示す図である。
【図１５】ゼネラルＲＯＭフォーマットを示す図である。
【図１６】バスインフォブロック、ルートディレクトリ、およびユニットディレクトリの詳細を示す図である。
【図１７】PCRの構成を示す図である。
【図１８】oMPR，oPCR，iMPR、およびiPCRの構成を示す図である。
【図１９】AV/Cコマンドのアシンクロナス転送モードで伝送されるパケットのデータ構造を示す図である。
【図２０】AV/Cコマンドの具体例を示す図である。
【図２１】AV/Cコマンドとレスポンスの具体例を示す図である。
【図２２】本発明を適用したセキュリティシステムの一実施の形態の構成例を示すブロック図である。
【図２３】カメラ１６２の構成例を示すブロック図である。
【図２４】親機１の処理を説明するフローチャートである。
【図２５】親機１による認証処理を説明するフローチャートである。
【図２６】子機２の処理を説明するフローチャートである。
【図２７】子機２による認証処理を説明するフローチャートである。
【図２８】スケーラブルＴＶシステム１６１による全画面表示の表示例を示す図である。
【図２９】データ処理部１３７Ｃの構成例を示すブロック図である。
【図３０】データ処理部１３７Ｃによる画像データ処理および音声データ処理を説明するフローチャートである。
【図３１】警告処理部１３７Ｄの構成例を示すブロック図である。
【図３２】警告処理部１３７Ｄによる異常判定／警告処理を説明するフローチャートである。
【図３３】異常判定部２１３の処理を説明するための図である。
【図３４】異常判定部２１３の処理を説明するための図である。
【図３５】セキュリティコントローラ１３７Ａによる警告処理を説明するための図である。
【図３６】セキュリティコントローラ１３７Ａによる警告処理を説明するための図である。
【図３７】親機１の電気的構成の他の例を示すブロック図である。
【図３８】セキュリティコントローラ１３７Ａによる警告処理を説明するための図である。
【図３９】親機１の電気的構成のさらに他の例を示すブロック図である。
【図４０】本発明を適用したコンピュータの一実施の形態の構成例を示すブロック図である。
【符号の説明】
【０３９１】
１  親機，  ２，２11，２12，２13，２14，２15，２21，２22，２23，２24，２25，２31，２32，２33，２34，２35，２41，２42，２43，２44，２45，２51，２52，２53，２54，２55  子機，  １１  ＣＲＴ，  １２Ｌ，１２Ｒ  スピーカユニット，  １５  リモコン，  ２１  端子パネル，  ２１11，２１12，２１13，２１21，２１23，２１31，２１32，２１33  IEEE1394端子，  ２２  アンテナ端子，  ２３  入力端子，  ２４  出力端子，  ３１  ＣＲＴ，  ３２Ｌ，３２Ｒ  スピーカユニット，  ３５  リモコン，  ４１  端子パネル，  ４１1  IEEE1394端子，  ４２  アンテナ端子，  ４３  入力端子，  ４４  出力端子，  ５１  セレクトボタンスイッチ，  ５２  ボリウムボタンスイッチ，  ５３  チャンネルアップダウンボタンスイッチ，  ５４  メニューボタンスイッチ，  ５５  イグジットボタンスイッチ，  ５６  ディスプレイボタン，  ５７  エンタボタンスイッチ，  ５８  数字ボタン（テンキー）スイッチ，  ５９  テレビ／ビデオ切換ボタンスイッチ，  ６０  テレビ／ＤＳＳ切換ボタンスイッチ，  ６１  ジャンプボタンスイッチ，  ６２  ランゲージボタン，  ６３  ガイドボタンスイッチ，  ６４  フェイバリットボタンスイッチ，  ６５  ケーブルボタンスイッチ，  ６６  テレビスイッチ，  ６７  ＤＳＳボタンスイッチ，  ６８乃至７０  ＬＥＤ，  ７１  ケーブル電源ボタンスイッチ，  ７２  テレビ電源ボタンスイッチ，  ７３  ＤＳＳ電源ボタンスイッチ，  ７４  ミューティングボタンスイッチ，  ７５  スリープボタンスイッチ，  ７６  発光部，  ８１  セレクトボタンスイッチ，  ８２  ボリウムボタンスイッチ，  ８３  チャンネルアップダウンボタンスイッチ，  ８４  メニューボタンスイッチ，  ８５  イグジットボタンスイッチ，  ８６  ディスプレイボタン，  ８７  エンタボタンスイッチ，  ８８  数字ボタン（テンキー）スイッチ，  ８９  テレビ／ビデオ切換ボタンスイッチ，  ９０  テレビ／ＤＳＳ切換ボタンスイッチ，  ９１  ジャンプボタンスイッチ，  ９２  ランゲージボタン，  ９３  ガイドボタンスイッチ，  ９４  フェイバリットボタンスイッチ，  ９５  ケーブルボタンスイッチ，  ９６  テレビスイッチ，  ９７  ＤＳＳボタンスイッチ，  ９８乃至１００  ＬＥＤ，  １０１  ケーブル電源ボタンスイッチ，  １０２  テレビ電源ボタンスイッチ，  １０３  ＤＳＳ電源ボタンスイッチ，  １０４  ミューティングボタンスイッチ，  １０５  スリープボタンスイッチ，  １０６  発光部，  １１０  ボタンスイッチ，  １１１乃至１１４  方向ボタンスイッチ，  １２１  チューナ，  １２２  ＱＰＳＫ復調回路，  １２３  エラー訂正回路，  １２４  デマルチプレクサ，  １２５  ＭＰＥＧビデオデコーダ，  １２６  ＭＰＥＧオーディオデコーダ，  １２７  フレームメモリ，  １２８  ＮＴＳＣエンコーダ，  １２９  ＣＰＵ，  １３０  ＥＥＰＲＯＭ，  １３１  ＲＯＭ，  １３２  ＲＡＭ，  １３３  IEEE1394インタフェース，  １３４  フロントパネル，  １３５  ＩＲ受信部，  １３５Ａ，１３５Ｂ  受光部，  １３６  モデム，  １３７  セキュリティシステム部，  １３７Ａ  セキュリティコントローラ，  １３７Ｂ  無線インタフェース，  １３７Ｃ  データ処理部，  １３７Ｄ  警告処理部，  １３８  アンプ，  １３９  警告表示部，  １４１  チューナ，  １４２  ＱＰＳＫ復調回路，  １４３  エラー訂正回路，  １４４  デマルチプレクサ，  １４５  ＭＰＥＧビデオデコーダ，  １４６  ＭＰＥＧオーディオデコーダ，  １４７  フレームメモリ，  １４８  ＮＴＳＣエンコーダ，  １４９  ＣＰＵ，  １５０  ＥＥＰＲＯＭ，  １５１  ＲＯＭ，  １５２  ＲＡＭ，  １５３  IEEE1394インタフェース，  １５４  フロントパネル，  １５５  ＩＲ受信部，  １５６  モデム，  １５７  セキュリティシステム部，  １５７Ａ  セキュリティコントローラ，  １５７Ｂ  無線インタフェース，  １５７Ｃ  データ処理部，  １５７Ｄ  警告処理部，  １５８  アンプ，  １６１スケーラブルＴＶシステム，  １６２1乃至１６２3  カメラ，  １７１  光学系，  １７２  ＣＣＤ，  １７３  アンプ，  １７４  Ａ／Ｄ変換部，  １７５  メモリ，  １７６  マイク，  １７７  アンプ，  １７８  Ａ／Ｄ変換部，  １７９  メモリ，  １８０  無線インタフェース，  １９１  画像処理部，  １９２  音声処理部，  １９３  メモリコントローラ，  １９４  変動算出部，  ２０１  フレームメモリ，  ２０２  差分演算部，  ２０３  差分メモリ，  ２０６  リングバッファ，  ２０７  積分演算部，  ２０８  積分メモリ，  ２１１  変動情報記憶部，  ２１２  変動情報解析部，  ２１３  異常判定部，  ２１４  異常条件記憶部，  ２１５  警告処理要求部，  ３０１  バス，  ３０２  CPU，  ３０３  ROM，  ３０４  RAM，  ３０５  ハードディスク，  ３０６  出力部，  ３０７  入力部，  ３０８  通信部，  ３０９  ドライブ，  ３１０  入出力インタフェース，  ３１１  リムーバブル記録媒体
【図１】
2008211836.tif 000003
【図２】
2008211836.tif 000004
【図３】
2008211836.tif 000005
【図４】
2008211836.tif 000006
【図５】
2008211836.tif 000007
【図６】
2008211836.tif 000008
【図７】
2008211836.tif 000009
【図８】
2008211836.tif 000010
【図９】
2008211836.tif 000011
【図１０】
2008211836.tif 000012
【図１１】
2008211836.tif 000013
【図１２】
2008211836.tif 000014
【図１３】
2008211836.tif 000015
【図１４】
2008211836.tif 000016
【図１５】
2008211836.tif 000017
【図１６】
2008211836.tif 000018
【図１７】
2008211836.tif 000019
【図１８】
2008211836.tif 000020
【図１９】
2008211836.tif 000021
【図２０】
2008211836.tif 000022
【図２１】
2008211836.tif 000023
【図２２】
2008211836.tif 000024
【図２３】
2008211836.tif 000025
【図２４】
2008211836.tif 000026
【図２５】
2008211836.tif 000027
【図２６】
2008211836.tif 000028
【図２７】
2008211836.tif 000029
【図２８】
2008211836.tif 000030
【図２９】
2008211836.tif 000031
【図３０】
2008211836.tif 000032
【図３１】
2008211836.tif 000033
【図３２】
2008211836.tif 000034
【図３３】
2008211836.tif 000035
【図３４】
2008211836.tif 000036
【図３５】
2008211836.tif 000037
【図３６】
2008211836.tif 000038
【図３７】
2008211836.tif 000039
【図３８】
2008211836.tif 000040
【図３９】
2008211836.tif 000041
【図４０】
2008211836.tif 000042